(57)【要約】【課題】より視認性のよい画像を得る。【解決手段】可視光域の光に基づいて、各々色情報及び輝度情報を含む複数の画素から構成されたカラー可視画像を撮影する第１撮影装置１２からカラー可視画像を取得し（１００）、カラー可視画像を構成し、かつ輝度が所定値Ｔｈ１以上の画素については、カラー表示されるように、撮影により得られた輝度情報及び撮影により得られた色情報を用いる（１０６、１１０、１１２）と共に、カラー可視画像を構成し、かつ輝度が所定値Ｔｈ１未満の画素については、濃淡表示されるように、撮影により得られた輝度情報を用いて（１０６、１０８、１１２）、擬似カラー画像を生成する。【選択図】図３
2010193037.tif 000002
【特許請求の範囲】
【請求項１】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ輝度が所定値以上の画素については、カラー表示されるように、撮影により得られた前記輝度情報及び撮影により得られた前記色情報を用いると共に、前記カラー可視画像を構成し、かつ輝度が所定値未満の画素については、濃淡表示されるように、撮影により得られた前記輝度情報を用いて、擬似カラー画像を生成する生成手段と、
を含む擬似カラー画像生成装置。
【請求項２】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ輝度が所定値未満の画素の色情報を当該画素周辺の画素であって輝度が前記所定値以上の画素の色情報を用いて補間することにより、前記カラー可視画像を構成し、かつ輝度が所定値未満の画素の色情報を演算する色情報演算手段と、
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段と、
を含む擬似カラー画像生成装置。
【請求項３】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ輝度が所定値以上の画素については、濃淡表示されるように、撮影により得られた前記輝度情報を用いると共に、前記カラー可視画像を構成し、かつ輝度が所定値未満の画素については、カラー表示されるように、撮影により得られた前記輝度情報及び撮影により得られた前記色情報を用いて、擬似カラー画像を生成する生成手段と、
を含む擬似カラー画像生成装置。
【請求項４】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ輝度が所定値以上の画素の色情報を当該画素周辺の画素であって輝度が前記所定値未満の画素の色情報を用いて補間することにより、前記カラー可視画像を構成し、かつ輝度が所定値以上の画素の色情報を演算する色情報演算手段と、
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段と、
を含む擬似カラー画像生成装置。
【請求項５】
可視光域の光に基づいて、各々彩度を含む色情報及び輝度情報を含む複数の画素から構成されたカラー可視画像を撮影する撮影手段から前記カラー可視画像を取得する取得手段と、
前記カラー可視画像を構成し、かつ彩度が所定値以上の画素については、カラー表示されるように、撮影により得られた前記輝度情報及び撮影により得られた前記色情報を用いると共に、前記カラー可視画像を構成し、かつ彩度が所定値未満の画素については、濃淡表示されるように、撮影により得られた前記輝度情報を用いて、擬似カラー画像を生成する生成手段と、
を含む擬似カラー画像生成装置。
【請求項６】
可視光域の光に基づいて、各々彩度を含む色情報及び輝度情報を含む複数の画素から構成されたカラー可視画像を撮影する撮影手段から前記カラー可視画像を取得する取得手段と、
前記カラー可視画像を構成し、かつ彩度が所定値未満の画素の色情報を当該画素周辺の画素であって彩度が前記所定値以上の画素の色情報を用いて補間することにより、前記カラー可視画像を構成し、かつ彩度が所定値未満の画素の色情報を演算する色情報演算手段と、
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段と、
を含む擬似カラー画像生成装置。
【請求項７】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ輝度が第１の所定値以上であり前記第１の所定値より大きい第２の所定値未満の画素については、カラー表示されるように、撮影により得られた前記輝度情報及び撮影により得られた前記色情報を用いると共に、前記カラー可視画像を構成し、かつ輝度が前記第１の所定値未満及び前記第２の所定値以上の画素については、濃淡表示されるように、撮影により得られた前記輝度情報を用いて、擬似カラー画像を生成する生成手段と、
を含む擬似カラー画像生成装置。
【請求項８】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ輝度が第１の所定値未満及び前記第１の所定値より大きい第２の所定値以上の画素の色情報を、当該画素周辺の画素であって輝度が前記第１の所定値以上前記第２の所定値未満の画素の色情報を用いて補間することにより、前記カラー可視画像を構成し、かつ輝度が前記第１の所定値未満及び前記第２の所定値以上の画素の色情報を演算する色情報演算手段と、
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段と、
を含む擬似カラー画像生成装置。
【請求項９】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ色情報が示す色が赤の色の画素については、カラー表示されるように、撮影により得られた前記輝度情報及び撮影により得られた前記色情報を用いると共に、前記カラー可視画像を構成し、かつ色情報が示す色が赤の色以外の色の画素については、濃淡表示されるように、撮影により得られた前記輝度情報を用いて、擬似カラー画像を生成する生成手段と、
を含む擬似カラー画像生成装置。
【請求項１０】
可視光域の光に基づいて、各々色情報及び輝度情報を含む複数の画素から構成されたカラー可視画像を撮影する撮影手段から前記カラー可視画像を取得する取得手段と、
前記カラー可視画像を構成し、かつ色情報が示す色が青、黄、緑、赤、及び橙の少なくとも１つの色の画素については、カラー表示されるように、撮影により得られた前記輝度情報及び撮影により得られた前記色情報を用いると共に、前記カラー可視画像を構成し、かつ色情報が示す色が前記少なくとも１つの色以外の色の画素については、濃淡表示されるように、撮影により得られた前記輝度情報を用いて、擬似カラー画像を生成する生成手段と、
を含む擬似カラー画像生成装置。
【請求項１１】
前記撮影手段は、更に、近赤外域の光に基づいて、各々輝度情報を含む複数の画素から構成された赤外画像を撮影し、
前記取得手段は、更に、前記撮影手段から前記赤外画像を取得し、
前記生成手段によって生成された擬似カラー画像を構成する画素であって、前記赤外画像の対応する画素である対応画素の輝度より輝度が小さい画素の輝度を、前記対応画素の輝度で置換するか、または、前記擬似カラー画像を構成する画素の輝度と前記赤外画像の前記対応画素の輝度との加重平均の値で置換する置換手段を更に含み、
前記生成手段は、前記置換手段で輝度が置換されている前記擬似カラー画像の画素については置換された輝度を表す輝度情報及び前記擬似カラー画像の対応する色情報を用い、前記置換手段で輝度が置換されていない前記擬似カラー画像の画素については撮影により得られた前記輝度情報及び前記擬似カラー画像の対応する色情報を用いて、擬似カラー画像を更に生成する請求項１〜１０の何れか１項記載の擬似カラー画像生成装置。
【請求項１２】
可視光域の光に基づいて、各々色情報及び輝度情報を含む複数の画素から構成されたカラー可視画像を撮影すると共に、近赤外域の光に基づいて、各々輝度情報を含む複数の画素から構成された赤外画像を撮影する撮影手段から前記カラー可視画像及び前記赤外画像を取得する取得手段と、
前記取得手段によって取得されたカラー可視画像を構成する画素であって、前記赤外画像の対応する画素である対応画素の輝度より輝度が小さい画素の輝度を、前記対応画素の輝度で置換するか、または、前記カラー可視画像を構成する画素の輝度と前記赤外画像の前記対応画素の輝度との加重平均の値で置換する置換手段と、
前記置換手段で輝度が置換されている前記カラー可視画像の画素については置換された輝度を表す輝度情報及び撮影により得られた前記色情報を用い、前記置換手段で輝度が置換されていない前記カラー可視画像の画素については撮影により得られた前記輝度情報及び撮影により得られた前記色情報を用いて、擬似カラー画像を生成する生成手段と、
を含む擬似カラー画像生成装置。
【請求項１３】
コンピュータを、
可視光域の光に基づいて、各々色情報及び輝度情報を含む複数の画素から構成されたカラー可視画像を撮影する撮影手段から前記カラー可視画像を取得する取得手段、及び
前記カラー可視画像を構成し、かつ輝度が所定値以上の画素については、カラー表示されるように、撮影により得られた前記輝度情報及び撮影により得られた前記色情報を用いると共に、前記カラー可視画像を構成し、かつ輝度が所定値未満の画素については、濃淡表示されるように、撮影により得られた前記輝度情報を用いて、擬似カラー画像を生成する生成手段
として機能させるためのプログラム。
【請求項１４】
コンピュータを、
可視光域の光に基づいて、各々色情報及び輝度情報を含む複数の画素から構成されたカラー可視画像を撮影する撮影手段から前記カラー可視画像を取得する取得手段、
前記カラー可視画像を構成し、かつ輝度が所定値未満の画素の色情報を当該画素周辺の画素であって輝度が前記所定値以上の画素の色情報を用いて補間することにより、前記カラー可視画像を構成し、かつ輝度が所定値未満の画素の色情報を演算する色情報演算手段、及び
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段
として機能させるためのプログラム。
【請求項１５】
コンピュータを、
可視光域の光に基づいて、各々色情報及び輝度情報を含む複数の画素から構成されたカラー可視画像を撮影する撮影手段から前記カラー可視画像を取得する取得手段、及び
前記カラー可視画像を構成し、かつ輝度が所定値以上の画素については、濃淡表示されるように、撮影により得られた前記輝度情報を用いると共に、前記カラー可視画像を構成し、かつ輝度が所定値未満の画素については、カラー表示されるように、撮影により得られた前記輝度情報及び撮影により得られた前記色情報を用いて、擬似カラー画像を生成する生成手段
として機能させるためのプログラム。
【請求項１６】
コンピュータを、
可視光域の光に基づいて、各々色情報及び輝度情報を含む複数の画素から構成されたカラー可視画像を撮影する撮影手段から前記カラー可視画像を取得する取得手段、
前記カラー可視画像を構成し、かつ輝度が所定値以上の画素の色情報を当該画素周辺の画素であって輝度が前記所定値未満の画素の色情報を用いて補間することにより、前記カラー可視画像を構成し、かつ輝度が所定値以上の画素の色情報を演算する色情報演算手段、及び
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段
として機能させるためのプログラム。
【請求項１７】
コンピュータを、
可視光域の光に基づいて、各々彩度を含む色情報及び輝度情報を含む複数の画素から構成されたカラー可視画像を撮影する撮影手段から前記カラー可視画像を取得する取得手段、及び
前記カラー可視画像を構成し、かつ彩度が所定値以上の画素については、カラー表示されるように、撮影により得られた前記輝度情報及び撮影により得られた前記色情報を用いると共に、前記カラー可視画像を構成し、かつ彩度が所定値未満の画素については、濃淡表示されるように、撮影により得られた前記輝度情報を用いて、擬似カラー画像を生成する生成手段
として機能させるためのプログラム。
【請求項１８】
コンピュータを、
可視光域の光に基づいて、各々彩度を含む色情報及び輝度情報を含む複数の画素から構成されたカラー可視画像を撮影する撮影手段から前記カラー可視画像を取得する取得手段、
前記カラー可視画像を構成し、かつ彩度が所定値未満の画素の色情報を当該画素周辺の画素であって彩度が前記所定値以上の画素の色情報を用いて補間することにより、前記カラー可視画像を構成し、かつ彩度が所定値未満の画素の色情報を演算する色情報演算手段、及び
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段
として機能させるためのプログラム。
【請求項１９】
コンピュータを、
可視光域の光に基づいて、各々色情報及び輝度情報を含む複数の画素から構成されたカラー可視画像を撮影する撮影手段から前記カラー可視画像を取得する取得手段、及び
前記カラー可視画像を構成し、かつ輝度が第１の所定値以上であり前記第１の所定値より大きい第２の所定値未満の画素については、カラー表示されるように、撮影により得られた前記輝度情報及び撮影により得られた前記色情報を用いると共に、前記カラー可視画像を構成し、かつ輝度が前記第１の所定値未満及び前記第２の所定値以上の画素については、濃淡表示されるように、撮影により得られた前記輝度情報を用いて、擬似カラー画像を生成する生成手段
として機能させるためのプログラム。
【請求項２０】
コンピュータを、
可視光域の光に基づいて、各々色情報及び輝度情報を含む複数の画素から構成されたカラー可視画像を撮影する撮影手段から前記カラー可視画像を取得する取得手段、
前記カラー可視画像を構成し、かつ輝度が第１の所定値未満及び前記第１の所定値より大きい第２の所定値以上の画素の色情報を、当該画素周辺の画素であって輝度が前記第１の所定値以上前記第２の所定値未満の画素の色情報を用いて補間することにより、前記カラー可視画像を構成し、かつ輝度が第１の所定値未満及び前記第２の所定値以上の画素の色情報を演算する色情報演算手段、及び
前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段
として機能させるためのプログラム。
【請求項２１】
コンピュータを、
可視光域の光に基づいて、各々色情報及び輝度情報を含む複数の画素から構成されたカラー可視画像を撮影する撮影手段から前記カラー可視画像を取得する取得手段、及び
前記カラー可視画像を構成し、かつ色情報が示す色が赤の色の画素については、カラー表示されるように、撮影により得られた前記輝度情報及び撮影により得られた前記色情報を用いると共に、前記カラー可視画像を構成し、かつ色情報が示す色が赤の色以外の色の画素については、濃淡表示されるように、撮影により得られた前記輝度情報を用いて、擬似カラー画像を生成する生成手段
として機能させるためのプログラム。
【請求項２２】
コンピュータを、
可視光域の光に基づいて、各々色情報及び輝度情報を含む複数の画素から構成されたカラー可視画像を撮影する撮影手段から前記カラー可視画像を取得する取得手段、及び
前記カラー可視画像を構成し、かつ色情報が示す色が青、黄、緑、赤、及び橙の少なくとも１つの色の画素については、カラー表示されるように、撮影により得られた前記輝度情報及び撮影により得られた前記色情報を用いると共に、前記カラー可視画像を構成し、かつ色情報が示す色が前記少なくとも１つの色以外の色の画素については、濃淡表示されるように、撮影により得られた前記輝度情報を用いて、擬似カラー画像を生成する生成手段
として機能させるためのプログラム。
【請求項２３】
コンピュータを、
可視光域の光に基づいて、各々色情報及び輝度情報を含む複数の画素から構成されたカラー可視画像を撮影すると共に、近赤外域の光に基づいて、各々輝度情報を含む複数の画素から構成された赤外画像を撮影する撮影手段から前記カラー可視画像及び前記赤外画像を取得する取得手段、
前記取得手段によって取得されたカラー可視画像を構成する画素であって、前記赤外画像の対応する画素である対応画素の輝度より輝度が小さい画素の輝度を、前記対応画素の輝度で置換するか、または、前記カラー可視画像を構成する画素の輝度と前記赤外画像の前記対応画素の輝度との加重平均の値で置換する置換手段、及び
前記置換手段で輝度が置換されている前記カラー可視画像の画素については置換された輝度を表す輝度情報及び撮影により得られた前記色情報を用い、前記置換手段で輝度が置換されていない前記カラー可視画像の画素については撮影により得られた前記輝度情報及び撮影により得られた前記色情報を用いて、擬似カラー画像を生成する生成手段
として機能させるためのプログラム。
【発明の詳細な説明】
【技術分野】
【０００１】
本発明は、擬似カラー画像生成装置、及びプログラムに係り、特に、擬似カラー画像を生成する擬似カラー画像生成装置、及びプログラムに関する。
【背景技術】
【０００２】
従来のカラー撮影装置として、昼間の色再現性と夜間の感度とを両立して昼夜連続で利用可能なカラー撮影装置が知られている（特許文献１）。このカラー撮影装置では、通常のベイヤー配列の１ユニットを構成するＲＧＢＧ４画素のうち１つのＧフィルタをＩＲフィルタに置き換えて、ＲＧＢフィルタを第１のモード用、ＩＲフィルタを第２のモード用に振り分けている。また、ＲＧＢの３画素には赤外カットフィルタをかけている。
【０００３】
また、従来のカラー画像生成装置として、色情報と輝度情報とが何れも最適なカラー画像を再生するカラー画像再生装置が知られている（特許文献２）。このカラー画像再生装置では、可視画像データから赤外成分を除去して色情報（色相、彩度）を抽出し、赤外の輝度情報、または可視の輝度情報と合成して擬似カラー画像を再生している。
【先行技術文献】
【特許文献】
【０００４】
【特許文献１】特開２００５−６０６６号公報
【特許文献２】特開２００７−１８４８０５号公報
【発明の概要】
【発明が解決しようとする課題】
【０００５】
しかしながら、上記特許文献１に記載の技術では、ＲＧＢフィルタとＩＲフィルタとをモードにより切り替えて使用するため、夜間など周囲が暗い場合には、ＩＲフィルタのみを利用した、視認性が低いモノクロ画像しか提供できない、という問題がある。
【０００６】
また、上記特許文献２に記載の技術では、予めユーザ等が指定したモードに従って可視画像及び赤外画像の一方だけが選択されて、選択された画像の輝度情報が抽出される。これにより、カラーカメラと赤外カメラとで撮影した場合、照明などの明るさがあると、赤外の光量が可視の光量に比べて少なくなる場合があるが、赤外の明るさが選択された場合には、可視光の明るさに比べて暗くなり視認性が悪くなってしまう、という問題がある。
【０００７】
本発明は、上記の問題点を解決するためになされたもので、より視認性のよい画像を得ることができる擬似カラー画像生成装置、及びプログラムを提供することを目的とする。
【課題を解決するための手段】
【０００８】
上記の目的を達成するために第１の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ輝度が所定値以上の画素については、カラー表示されるように、撮影により得られた前記輝度情報及び撮影により得られた前記色情報を用いると共に、前記カラー可視画像を構成し、かつ輝度が所定値未満の画素については、濃淡表示されるように、撮影により得られた前記輝度情報を用いて、擬似カラー画像を生成する生成手段とを含んで構成されている。
【０００９】
第１の発明に係る擬似カラー画像生成装置によれば、生成手段によって、カラー可視画像を構成し、かつ輝度が所定値以上の画素については、カラー表示されるように、撮影により得られた輝度情報及び撮影により得られた色情報を用いると共に、カラー可視画像を構成し、かつ輝度が所定値未満の画素については、濃淡表示されるように、撮影により得られた輝度情報を用いて、擬似カラー画像を生成する。
【００１０】
このように、第１の発明に係る擬似カラー画像生成装置によれば、より視認性が良好となるように、色情報がカラー表示に適した情報であるカラー可視画像の画素（すなわち、輝度が所定値以上のカラー可視画像の画素）については、カラー表示されるように、撮影により得られた輝度情報及び撮影により得られた色情報を用い、色情報がカラー表示に適していない情報であるカラー可視画像の画素（すなわち、輝度が所定値未満のカラー可視画像の画素）については、濃淡表示されるように、撮影により得られた輝度情報を用いて、擬似カラー画像を生成する。
【００１１】
従って、第１の発明に係る擬似カラー画像生成装置によれば、より視認性のよい画像を得ることができる。
【００１２】
また、上記の目的を達成するために第２の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ輝度が所定値未満の画素の色情報を当該画素周辺の画素であって輝度が前記所定値以上の画素の色情報を用いて補間することにより、前記カラー可視画像を構成し、かつ輝度が所定値未満の画素の色情報を演算する色情報演算手段と、前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段とを含んで構成されている。
【００１３】
第２の発明に係る擬似カラー画像生成装置によれば、色情報演算手段によって、カラー可視画像を構成し、かつ輝度が所定値未満の画素の色情報が当該画素周辺の画素であって輝度が所定値以上の画素の色情報を用いて補間されることにより、当該カラー可視画像を構成し、かつ輝度が所定値未満の画素の色情報が演算される。また、生成手段が、カラー可視画像を構成し、かつ色情報演算手段で色情報が演算された画素については、演算された色情報及び撮影により得られた輝度情報を用いると共に、カラー可視画像を構成し、かつ色情報演算手段で色情報が演算されていない画素については、撮影により得られた色情報及び撮影により得られた輝度情報を用いて、擬似カラー画像を生成する。
【００１４】
このように、第２の発明に係る擬似カラー画像生成装置によれば、より視認性が良好となるように、色情報がカラー表示に適していない情報であるカラー可視画像の画素（すなわち、輝度が所定値未満のカラー可視画像の画素）の色情報が、色情報がカラー表示に適した情報であるカラー可視画像の画素（すなわち、輝度が所定値以上のカラー可視画像の画素）の色情報を用いた補間によって演算され、そして、カラー可視画像を構成し、かつ色情報演算手段で色情報が演算された画素については、演算された色情報及び撮影により得られた輝度情報が用いられると共に、カラー可視画像を構成し、かつ色情報演算手段で色情報が演算されていない画素については、撮影により得られた色情報及び撮影により得られた輝度情報が用いられて、擬似カラー画像が生成される。
【００１５】
従って、第２の発明に係る擬似カラー画像生成装置によれば、より視認性のよい画像を得ることができる。
【００１６】
また、上記の目的を達成するために第３の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ輝度が所定値以上の画素については、濃淡表示されるように、撮影により得られた前記輝度情報を用いると共に、前記カラー可視画像を構成し、かつ輝度が所定値未満の画素については、カラー表示されるように、撮影により得られた前記輝度情報及び撮影により得られた前記色情報を用いて、擬似カラー画像を生成する生成手段とを含んで構成されている。
【００１７】
第３の発明に係る擬似カラー画像生成装置によれば、生成手段によって、カラー可視画像を構成し、かつ輝度が所定値未満の画素については、カラー表示されるように、撮影により得られた輝度情報及び撮影により得られた色情報を用いると共に、カラー可視画像を構成し、かつ輝度が所定値以上の画素については、濃淡表示されるように、撮影により得られた輝度情報を用いて、擬似カラー画像を生成する。
【００１８】
このように、第３の発明に係る擬似カラー画像生成装置によれば、より視認性が良好となるように、色情報がカラー表示に適した情報であるカラー可視画像の画素（すなわち、輝度が所定値未満のカラー可視画像の画素）については、カラー表示されるように、撮影により得られた輝度情報及び撮影により得られた色情報を用い、色情報がカラー表示に適していない情報であるカラー可視画像の画素（すなわち、輝度が所定値以上のカラー可視画像の画素）については、濃淡表示されるように、撮影により得られた輝度情報を用いて、擬似カラー画像を生成する。
【００１９】
従って、第３の発明に係る擬似カラー画像生成装置によれば、より視認性のよい画像を得ることができる。
【００２０】
また、上記の目的を達成するために第４の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ輝度が所定値以上の画素の色情報を当該画素周辺の画素であって輝度が前記所定値未満の画素の色情報を用いて補間することにより、前記カラー可視画像を構成し、かつ輝度が所定値以上の画素の色情報を演算する色情報演算手段と、前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段とを含んで構成されている。
【００２１】
第４の発明に係る擬似カラー画像生成装置によれば、色情報演算手段によって、カラー可視画像を構成し、かつ輝度が所定値以上の画素の色情報が当該画素周辺の画素であって輝度が所定値未満の画素の色情報を用いて補間されることにより、当該カラー可視画像を構成し、かつ輝度が所定値以上の画素の色情報が演算される。また、生成手段が、カラー可視画像を構成し、かつ色情報演算手段で色情報が演算された画素については、演算された色情報及び撮影により得られた輝度情報を用いると共に、カラー可視画像を構成し、かつ色情報演算手段で色情報が演算されていない画素については、撮影により得られた色情報及び撮影により得られた輝度情報を用いて、擬似カラー画像を生成する。
【００２２】
このように、第４の発明に係る擬似カラー画像生成装置によれば、より視認性が良好となるように、色情報がカラー表示に適していない情報であるカラー可視画像の画素（すなわち、輝度が所定値以上のカラー可視画像の画素）の色情報が、色情報がカラー表示に適した情報であるカラー可視画像の画素（すなわち、輝度が所定値未満のカラー可視画像の画素）の色情報を用いた補間によって演算され、そして、カラー可視画像を構成し、かつ色情報演算手段で色情報が演算された画素については、演算された色情報及び撮影により得られた輝度情報が用いられると共に、カラー可視画像を構成し、かつ色情報演算手段で色情報が演算されていない画素については、撮影により得られた色情報及び撮影により得られた輝度情報が用いられて、擬似カラー画像が生成される。
【００２３】
従って、第４の発明に係る擬似カラー画像生成装置によれば、より視認性のよい画像を得ることができる。
【００２４】
また、上記の目標を達成するために第５の発明に係る擬似カラー画像生成装置は、可視光域の光に基づいて、各々彩度を含む色情報及び輝度情報を含む複数の画素から構成されたカラー可視画像を撮影する撮影手段から前記カラー可視画像を取得する取得手段と、前記カラー可視画像を構成し、かつ彩度が所定値以上の画素については、カラー表示されるように、撮影により得られた前記輝度情報及び撮影により得られた前記色情報を用いると共に、前記カラー可視画像を構成し、かつ彩度が所定値未満の画素については、濃淡表示されるように、撮影により得られた前記輝度情報を用いて、擬似カラー画像を生成する生成手段とを含んで構成されている。
【００２５】
第５の発明に係る擬似カラー画像生成装置によれば、生成手段によって、カラー可視画像を構成し、かつ彩度が所定値以上の画素については、カラー表示されるように、撮影により得られた輝度情報及び撮影により得られた色情報を用いると共に、カラー可視画像を構成し、かつ彩度が所定値未満の画素については、濃淡表示されるように、撮影により得られた輝度情報を用いて、擬似カラー画像を生成する。
【００２６】
このように、第５の発明に係る擬似カラー画像生成装置によれば、より視認性が良好となるように、色情報がカラー表示に適した情報であるカラー可視画像の画素（すなわち、彩度が所定値以上のカラー可視画像の画素）については、カラー表示されるように、撮影により得られた輝度情報及び撮影により得られた色情報を用い、色情報がカラー表示に適していない情報であるカラー可視画像の画素（すなわち、彩度が所定値未満のカラー可視画像の画素）については、濃淡表示されるように、撮影により得られた輝度情報を用いて、擬似カラー画像を生成する。
【００２７】
従って、第５の発明に係る擬似カラー画像生成装置によれば、より視認性のよい画像を得ることができる。
【００２８】
また、上記の目的を達成するために第６の発明に係る擬似カラー画像生成装置は、可視光域の光に基づいて、各々彩度を含む色情報及び輝度情報を含む複数の画素から構成されたカラー可視画像を撮影する撮影手段から前記カラー可視画像を取得する取得手段と、前記カラー可視画像を構成し、かつ彩度が所定値未満の画素の色情報を当該画素周辺の画素であって彩度が前記所定値以上の画素の色情報を用いて補間することにより、前記カラー可視画像を構成し、かつ彩度が所定値未満の画素の色情報を演算する色情報演算手段と、前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段とを含んで構成されている。
【００２９】
第６の発明に係る擬似カラー画像生成装置によれば、色情報演算手段によって、カラー可視画像を構成し、かつ彩度が所定値未満の画素の色情報が当該画素周辺の画素であって彩度が所定値以上の画素の色情報を用いて補間されることにより、当該カラー可視画像を構成し、かつ彩度が所定値未満の画素の色情報が演算される。また、生成手段が、カラー可視画像を構成し、かつ色情報演算手段で色情報が演算された画素については、演算された色情報及び撮影により得られた輝度情報を用いると共に、カラー可視画像を構成し、かつ色情報演算手段で色情報が演算されていない画素については、撮影により得られた色情報及び撮影により得られた輝度情報を用いて、擬似カラー画像を生成する。
【００３０】
このように、第６の発明に係る擬似カラー画像生成装置によれば、より視認性が良好となるように、色情報がカラー表示に適していない情報であるカラー可視画像の画素（すなわち、彩度が所定値未満のカラー可視画像の画素）の色情報が、色情報がカラー表示に適した情報であるカラー可視画像の画素（すなわち、彩度が所定値以上のカラー可視画像の画素）の色情報を用いた補間によって演算され、そして、カラー可視画像を構成し、かつ色情報演算手段で色情報が演算された画素については、演算された色情報及び撮影により得られた輝度情報が用いられると共に、カラー可視画像を構成し、かつ色情報演算手段で色情報が演算されていない画素については、撮影により得られた色情報及び撮影により得られた輝度情報が用いられて、擬似カラー画像が生成される。
【００３１】
従って、第６の発明に係る擬似カラー画像生成装置によれば、より視認性のよい画像を得ることができる。
【００３２】
また、上記の目的を達成するために第７の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ輝度が第１の所定値以上であり前記第１の所定値より大きい第２の所定値未満の画素については、カラー表示されるように、撮影により得られた前記輝度情報及び撮影により得られた前記色情報を用いると共に、前記カラー可視画像を構成し、かつ輝度が前記第１の所定値未満及び前記第２の所定値以上の画素については、濃淡表示されるように、撮影により得られた前記輝度情報を用いて、擬似カラー画像を生成する生成手段とを含んで構成されている。
【００３３】
第７の発明に係る擬似カラー画像生成装置によれば、生成手段によって、カラー可視画像を構成し、かつ輝度が第１の所定値以上であり第２の所定値未満の画素については、カラー表示されるように、撮影により得られた輝度情報及び撮影により得られた色情報を用いると共に、カラー可視画像を構成し、かつ輝度が第１の所定値未満及び第２の所定値以上の画素については、濃淡表示されるように、撮影により得られた輝度情報を用いて、擬似カラー画像を生成する。
【００３４】
このように、第７の発明に係る擬似カラー画像生成装置によれば、より視認性が良好となるように、色情報がカラー表示に適した情報であるカラー可視画像の画素（すなわち、輝度が第１の所定値以上であり第２の所定値未満のカラー可視画像の画素）については、カラー表示されるように、撮影により得られた輝度情報及び撮影により得られた色情報を用い、色情報がカラー表示に適していない情報であるカラー可視画像の画素（すなわち、輝度が第１の所定値未満及び第２の所定値以上のカラー可視画像の画素）については、濃淡表示されるように、撮影により得られた輝度情報を用いて、擬似カラー画像を生成する。
【００３５】
従って、第７の発明に係る擬似カラー画像生成装置によれば、より視認性のよい画像を得ることができる。
【００３６】
また、上記の目的を達成するために第８の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ輝度が第１の所定値未満及び前記第１の所定値より大きい第２の所定値以上の画素の色情報を、当該画素周辺の画素であって輝度が前記第１の所定値以上前記第２の所定値未満の画素の色情報を用いて補間することにより、前記カラー可視画像を構成し、かつ輝度が前記第１の所定値未満及び前記第２の所定値以上の画素の色情報を演算する色情報演算手段と、前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段とを含んで構成されている。
【００３７】
第８の発明に係る擬似カラー画像生成装置によれば、色情報演算手段によって、カラー可視画像を構成し、かつ輝度が第１の所定値未満及び第２の所定値以上の画素の色情報が当該画素周辺の画素であって輝度が第１の所定値以上第２の所定値未満の画素の色情報を用いて補間されることにより、当該カラー可視画像を構成し、かつ輝度が第１の所定値未満及び第２の所定値以上の画素の色情報が演算される。また、生成手段が、カラー可視画像を構成し、かつ色情報演算手段で色情報が演算された画素については、演算された色情報及び撮影により得られた輝度情報を用いると共に、カラー可視画像を構成し、かつ色情報演算手段で色情報が演算されていない画素については、撮影により得られた色情報及び撮影により得られた輝度情報を用いて、擬似カラー画像を生成する。
【００３８】
このように、第８の発明に係る擬似カラー画像生成装置によれば、より視認性が良好となるように、色情報がカラー表示に適していない情報であるカラー可視画像の画素（すなわち、輝度が第１の所定値未満及び第２の所定値以上のカラー可視画像の画素）の色情報が、色情報がカラー表示に適した情報であるカラー可視画像の画素（すなわち、輝度が第１の所定値以上第２の所定値未満のカラー可視画像の画素）の色情報を用いた補間によって演算され、そして、カラー可視画像を構成し、かつ色情報演算手段で色情報が演算された画素については、演算された色情報及び撮影により得られた輝度情報が用いられると共に、カラー可視画像を構成し、かつ色情報演算手段で色情報が演算されていない画素については、撮影により得られた色情報及び撮影により得られた輝度情報が用いられて、擬似カラー画像が生成される。
【００３９】
従って、第８の発明に係る擬似カラー画像生成装置によれば、より視認性のよい画像を得ることができる。
【００４０】
また、上記の目的を達成するために第９の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ色情報が示す色が赤の色の画素については、カラー表示されるように、撮影により得られた前記輝度情報及び撮影により得られた前記色情報を用いると共に、前記カラー可視画像を構成し、かつ色情報が示す色が赤の色以外の色の画素については、濃淡表示されるように、撮影により得られた前記輝度情報を用いて、擬似カラー画像を生成する生成手段とを含んで構成されている。
【００４１】
第９の発明に係る擬似カラー画像生成装置によれば、生成手段によって、カラー可視画像を構成し、かつ色情報が示す色が赤の色の画素については、カラー表示されるように、撮影により得られた輝度情報及び撮影により得られた色情報を用いると共に、カラー可視画像を構成し、かつ色情報が示す色が赤の色以外の色の画素については、濃淡表示されるように、撮影により得られた輝度情報を用いて、擬似カラー画像を生成する。
【００４２】
このように、第９の発明に係る擬似カラー画像生成装置によれば、より視認性が良好となるように、色情報が示す色が、例えば車両のドライバが特に夜間などに注意すべき信号灯の色、標識の色、及び尾灯の色（これらの色は、例えば、赤などがある）であるカラー可視画像の画素（すなわち、色情報が示す色が赤の色の画素）については、カラー表示されるように、撮影により得られた輝度情報及び撮影により得られた色情報を用い、色情報が示す色が、例えば車両のドライバにとって赤の色と比較した場合には格段の注意が必要とされない色の画素（すなわち、色情報が示す色が赤以外の色の画素）については、濃淡表示されるように、撮影により得られた輝度情報を用いて、擬似カラー画像を生成する。
【００４３】
従って、第９の発明に係る擬似カラー画像生成装置によれば、より視認性のよい画像を得ることができる。
【００４４】
また、上記の目的を達成するために第１０の発明に係る擬似カラー画像生成装置は、可視光域の光に基づいて、各々色情報及び輝度情報を含む複数の画素から構成されたカラー可視画像を撮影する撮影手段から前記カラー可視画像を取得する取得手段と、前記カラー可視画像を構成し、かつ色情報が示す色が青、黄、緑、赤、及び橙の少なくとも１つの色の画素については、カラー表示されるように、撮影により得られた前記輝度情報及び撮影により得られた前記色情報を用いると共に、前記カラー可視画像を構成し、かつ色情報が示す色が前記少なくとも１つの色以外の色の画素については、濃淡表示されるように、撮影により得られた前記輝度情報を用いて、擬似カラー画像を生成する生成手段とを含んで構成されている。
【００４５】
第１０の発明に係る擬似カラー画像生成装置によれば、生成手段によって、カラー可視画像を構成し、かつ色情報が示す色が青、黄、緑、赤、及び橙の色の少なくとも１つの色の画素については、カラー表示されるように、撮影により得られた輝度情報及び撮影により得られた色情報を用いると共に、カラー可視画像を構成し、かつ色情報が示す色が上記少なくとも１つの色以外の色の画素については、濃淡表示されるように、撮影により得られた輝度情報を用いて、擬似カラー画像を生成する。
【００４６】
このように、第１０の発明に係る擬似カラー画像生成装置によれば、より視認性が良好となるように、色情報が示す色が、例えば車両のドライバが特に夜間などに注意すべき信号灯の色、標識の色、尾灯の色、及び街路灯の色（これらの色は、例えば、青、黄、緑、赤、橙などがある）であるカラー可視画像の画素（すなわち、色情報が示す色が青、黄、緑、赤、及び橙の色の少なくとも１つの色の画素）については、カラー表示されるように、撮影により得られた輝度情報及び撮影により得られた色情報を用い、色情報が示す色が、例えば車両のドライバにとって格段の注意が必要とされない色の画素（すなわち、色情報が示す色が上記少なくとも１つの色以外の色の画素）については、濃淡表示されるように、撮影により得られた輝度情報を用いて、擬似カラー画像を生成する。
【００４７】
従って、第１０の発明に係る擬似カラー画像生成装置によれば、より視認性のよい画像を得ることができる。
【００４８】
また、上記の目的を達成するために第１１の発明に係る擬似カラー画像生成装置は、第１〜１０の何れか１つの発明に係る擬似カラー画像生成装置において、前記撮影手段を、更に、近赤外域の光に基づいて、各々輝度情報を含む複数の画素から構成された赤外画像を撮影するようにし、前記取得手段を、更に、前記撮影手段から前記赤外画像を取得するようにし、前記生成手段によって生成された擬似カラー画像を構成する画素であって、前記赤外画像の対応する画素である対応画素の輝度より輝度が小さい画素の輝度を、前記対応画素の輝度で置換するか、または、前記擬似カラー画像を構成する画素の輝度と前記赤外画像の前記対応画素の輝度との加重平均の値で置換する置換手段を更に含み、前記生成手段を、前記置換手段で輝度が置換されている前記擬似カラー画像の画素については置換された輝度を表す輝度情報及び前記擬似カラー画像の対応する色情報を用い、前記置換手段で輝度が置換されていない前記擬似カラー画像の画素については撮影により得られた前記輝度情報及び前記擬似カラー画像の対応する色情報を用いて、擬似カラー画像を更に生成するようにしたものである。
【００４９】
第１１の発明に係る擬似カラー画像生成装置によれば、置換手段によって、擬似カラー画像を構成する画素であって、赤外画像の対応する画素である対応画素の輝度より輝度が小さい画素の輝度が、対応画素の輝度、または、擬似カラー画像を構成する画素の輝度と赤外画像の対応画素の輝度との加重平均の値で置換される。そして、生成手段によって、置換手段で輝度が置換されている擬似カラー画像の画素については置換された輝度を表す輝度情報及び擬似カラー画像の対応する色情報が用いられ、置換手段で輝度が置換されていない擬似カラー画像の画素については撮影により得られた輝度情報及び擬似カラー画像の対応する色情報が用いられて、擬似カラー画像が更に生成される。
【００５０】
このように、第１１の発明に係る擬似カラー画像生成装置によれば、擬似カラー画像の各画素の輝度と、この各画素に対応する赤外画像の各対応画素の輝度との比較によって、擬似カラー画像を構成する画素であって、赤外画像の対応画素の輝度より輝度が小さい画素の輝度が、より視認性が良好となるような輝度に置換されて、擬似カラー画像が更に生成される。
【００５１】
また、第１１の発明の置換手段において、擬似カラー画像を構成する画素の輝度と赤外画像の対応画素の輝度との加重平均の値で置換された場合には、輝度の飽和を抑制することができる。
【００５２】
従って、第１１の発明に係る擬似カラー画像生成装置によれば、より視認性のよい画像を得ることができる。
【００５３】
また、上記の目的を達成するために第１２の発明に係る擬似カラー画像生成装置は、可視光域の光に基づいて、各々色情報及び輝度情報を含む複数の画素から構成されたカラー可視画像を撮影すると共に、近赤外域の光に基づいて、各々輝度情報を含む複数の画素から構成された赤外画像を撮影する撮影手段から前記カラー可視画像及び前記赤外画像を取得する取得手段と、前記取得手段によって取得されたカラー可視画像を構成する画素であって、前記赤外画像の対応する画素である対応画素の輝度より輝度が小さい画素の輝度を、前記対応画素の輝度で置換するか、または、前記カラー可視画像を構成する画素の輝度と前記赤外画像の前記対応画素の輝度との加重平均の値で置換する置換手段と、前記置換手段で輝度が置換されている前記カラー可視画像の画素については置換された輝度を表す輝度情報及び撮影により得られた前記色情報を用い、前記置換手段で輝度が置換されていない前記カラー可視画像の画素については撮影により得られた前記輝度情報及び撮影により得られた前記色情報を用いて、擬似カラー画像を生成する生成手段とを含んで構成されている。
【００５４】
第１２の発明に係る擬似カラー画像生成装置によれば、置換手段によって、カラー可視画像を構成する画素であって、赤外画像の対応する画素である対応画素の輝度より輝度が小さい画素の輝度が、対応画素の輝度、または、カラー可視画像を構成する画素の輝度と赤外画像の対応画素の輝度との加重平均の値で置換される。そして、生成手段によって、置換手段で輝度が置換されているカラー可視画像の画素については置換された輝度を表す輝度情報及び撮影により得られた色情報が用いられ、置換手段で輝度が置換されていないカラー可視画像の画素については撮影により得られた輝度情報及びカラー可視画像の対応する色情報が用いられて、擬似カラー画像が生成される。
【００５５】
このように、第１２の発明に係る擬似カラー画像生成装置によれば、カラー可視画像の各画素の輝度と、この各画素に対応する赤外画像の各対応画素の輝度との比較によって、カラー可視画像を構成する画素であって、赤外画像の対応画素の輝度より輝度が小さい画素の輝度が、より視認性が良好となるような輝度に置換されて、擬似カラー画像が生成される。
【００５６】
また、第１２の発明の置換手段において、カラー可視画像を構成する画素の輝度と赤外画像の対応画素の輝度との加重平均の値で置換された場合には、輝度の飽和を抑制することができる。
【００５７】
従って、第１２の発明に係る擬似カラー画像生成装置によれば、より視認性のよい画像を得ることができる。
【００５８】
また、上記の目的を達成するために第１３の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、及び前記カラー可視画像を構成し、かつ輝度が所定値以上の画素については、カラー表示されるように、撮影により得られた前記輝度情報及び撮影により得られた前記色情報を用いると共に、前記カラー可視画像を構成し、かつ輝度が所定値未満の画素については、濃淡表示されるように、撮影により得られた前記輝度情報を用いて、擬似カラー画像を生成する生成手段として機能させるためのプログラムである。
【００５９】
第１３の発明に係るプログラムによれば、第１の発明と同様の原理で、より視認性のよい画像を得ることができる。
【００６０】
また、上記の目的を達成するために第１４の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、前記カラー可視画像を構成し、かつ輝度が所定値未満の画素の色情報を当該画素周辺の画素であって輝度が前記所定値以上の画素の色情報を用いて補間することにより、前記カラー可視画像を構成し、かつ輝度が所定値未満の画素の色情報を演算する色情報演算手段、及び前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段として機能させるためのプログラムである。
【００６１】
第１４の発明に係るプログラムによれば、第２の発明と同様の原理で、より視認性のよい画像を得ることができる。
【００６２】
また、上記の目的を達成するために第１５の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、及び前記カラー可視画像を構成し、かつ輝度が所定値以上の画素については、濃淡表示されるように、撮影により得られた前記輝度情報を用いると共に、前記カラー可視画像を構成し、かつ輝度が所定値未満の画素については、カラー表示されるように、撮影により得られた前記輝度情報及び撮影により得られた前記色情報を用いて、擬似カラー画像を生成する生成手段として機能させるためのプログラムである。
【００６３】
第１５の発明に係るプログラムによれば、第３の発明と同様の原理で、より視認性のよい画像を得ることができる。
【００６４】
また、上記の目的を達成するために第１６の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、前記カラー可視画像を構成し、かつ輝度が所定値以上の画素の色情報を当該画素周辺の画素であって輝度が前記所定値未満の画素の色情報を用いて補間することにより、前記カラー可視画像を構成し、かつ輝度が所定値以上の画素の色情報を演算する色情報演算手段、及び前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段として機能させるためのプログラムである。
【００６５】
第１６の発明に係るプログラムによれば、第４の発明と同様の原理で、より視認性のよい画像を得ることができる。
【００６６】
また、上記の目的を達成するために第１７の発明に係るプログラムは、コンピュータを、可視光域の光に基づいて、各々彩度を含む色情報及び輝度情報を含む複数の画素から構成されたカラー可視画像を撮影する撮影手段から前記カラー可視画像を取得する取得手段、及び前記カラー可視画像を構成し、かつ彩度が所定値以上の画素については、カラー表示されるように、撮影により得られた前記輝度情報及び撮影により得られた前記色情報を用いると共に、前記カラー可視画像を構成し、かつ彩度が所定値未満の画素については、濃淡表示されるように、撮影により得られた前記輝度情報を用いて、擬似カラー画像を生成する生成手段として機能させるためのプログラムである。
【００６７】
第１７の発明に係るプログラムによれば、第５の発明と同様の原理で、より視認性のよい画像を得ることができる。
【００６８】
また、上記の目的を達成するために第１８の発明に係るプログラムは、コンピュータを、可視光域の光に基づいて、各々彩度を含む色情報及び輝度情報を含む複数の画素から構成されたカラー可視画像を撮影する撮影手段から前記カラー可視画像を取得する取得手段、前記カラー可視画像を構成し、かつ彩度が所定値未満の画素の色情報を当該画素周辺の画素であって彩度が前記所定値以上の画素の色情報を用いて補間することにより、前記カラー可視画像を構成し、かつ彩度が所定値未満の画素の色情報を演算する色情報演算手段、及び前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段として機能させるためのプログラムである。
【００６９】
第１８の発明に係るプログラムによれば、第６の発明と同様の原理で、より視認性のよい画像を得ることができる。
【００７０】
また、上記の目的を達成するために第１９の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、及び前記カラー可視画像を構成し、かつ輝度が第１の所定値以上であり前記第１の所定値より大きい第２の所定値未満の画素については、カラー表示されるように、撮影により得られた前記輝度情報及び撮影により得られた前記色情報を用いると共に、前記カラー可視画像を構成し、かつ輝度が前記第１の所定値未満及び前記第２の所定値以上の画素については、濃淡表示されるように、撮影により得られた前記輝度情報を用いて、擬似カラー画像を生成する生成手段として機能させるためのプログラムである。
【００７１】
第１９の発明に係るプログラムによれば、第７の発明と同様の原理で、より視認性のよい画像を得ることができる。
【００７２】
また、上記の目的を達成するために第２０の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、前記カラー可視画像を構成し、かつ輝度が第１の所定値未満及び前記第１の所定値より大きい第２の所定値以上の画素の色情報を、当該画素周辺の画素であって輝度が前記第１の所定値以上前記第２の所定値未満の画素の色情報を用いて補間することにより、前記カラー可視画像を構成し、かつ輝度が第１の所定値未満及び前記第２の所定値以上の画素の色情報を演算する色情報演算手段、及び前記カラー可視画像を構成し、かつ前記色情報演算手段で色情報が演算された画素については、演算された色情報及び撮影により得られた前記輝度情報を用いると共に、前記カラー可視画像を構成し、かつ前記色情報演算手段で色情報が演算されていない画素については、撮影により得られた前記色情報及び撮影により得られた前記輝度情報を用いて、擬似カラー画像を生成する生成手段として機能させるためのプログラムである。
【００７３】
第２０の発明に係るプログラムによれば、第８の発明と同様の原理で、より視認性のよい画像を得ることができる。
【００７４】
また、上記の目的を達成するために第２１の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、及び前記カラー可視画像を構成し、かつ色情報が示す色が赤の色の画素については、カラー表示されるように、撮影により得られた前記輝度情報及び撮影により得られた前記色情報を用いると共に、前記カラー可視画像を構成し、かつ色情報が示す色が赤の色以外の色の画素については、濃淡表示されるように、撮影により得られた前記輝度情報を用いて、擬似カラー画像を生成する生成手段として機能させるためのプログラムである。
【００７５】
第２１の発明に係るプログラムによれば、第９の発明と同様の原理で、より視認性のよい画像を得ることができる。
【００７６】
また、上記の目的を達成するために第２２の発明に係るプログラムは、コンピュータを、可視光域の光に基づいて、各々色情報及び輝度情報を含む複数の画素から構成されたカラー可視画像を撮影する撮影手段から前記カラー可視画像を取得する取得手段、及び前記カラー可視画像を構成し、かつ色情報が示す色が青、黄、緑、赤、及び橙の少なくとも１つの色の画素については、カラー表示されるように、撮影により得られた前記輝度情報及び撮影により得られた前記色情報を用いると共に、前記カラー可視画像を構成し、かつ色情報が示す色が前記少なくとも１つの色以外の色の画素については、濃淡表示されるように、撮影により得られた前記輝度情報を用いて、擬似カラー画像を生成する生成手段として機能させるためのプログラムである。
【００７７】
第２２の発明に係るプログラムによれば、第１０の発明と同様の原理で、より視認性のよい画像を得ることができる。
【００７８】
また、上記の目的を達成するために第２３の発明に係るプログラムは、コンピュータを、可視光域の光に基づいて、各々色情報及び輝度情報を含む複数の画素から構成されたカラー可視画像を撮影すると共に、近赤外域の光に基づいて、各々輝度情報を含む複数の画素から構成された赤外画像を撮影する撮影手段から前記カラー可視画像及び前記赤外画像を取得する取得手段、前記取得手段によって取得されたカラー可視画像を構成する画素であって、前記赤外画像の対応する画素である対応画素の輝度より輝度が小さい画素の輝度を、前記対応画素の輝度で置換するか、または、前記カラー可視画像を構成する画素の輝度と前記赤外画像の前記対応画素の輝度との加重平均の値で置換する置換手段、及び前記置換手段で輝度が置換されている前記カラー可視画像の画素については置換された輝度を表す輝度情報及び撮影により得られた前記色情報を用い、前記置換手段で輝度が置換されていない前記カラー可視画像の画素については撮影により得られた前記輝度情報及び撮影により得られた前記色情報を用いて、擬似カラー画像を生成する生成手段として機能させるためのプログラムである。
【００７９】
第２３の発明に係るプログラムによれば、第１２の発明と同様の原理で、より視認性のよい画像を得ることができる。
【発明の効果】
【００８０】
以上説明したように、本発明の擬似カラー画像生成装置及びプログラムによれば、より視認性のよい画像を得ることができる、という効果が得られる。
【図面の簡単な説明】
【００８１】
【図１】第１の実施の形態に係る擬似カラー画像生成装置の構成を示す図である。
【図２】第１の実施の形態に係る擬似カラー画像生成装置の機能ブロック図である。
【図３】第１の実施の形態に係る擬似カラー画像生成装置が実行する擬似カラー画像生成処理を示すフローチャートである。
【図４】第１の実施の形態に係る擬似カラー画像生成装置によって表示される画面の一例である。
【図５】第２の実施の形態に係る擬似カラー画像生成装置が実行する擬似カラー画像生成処理を示すフローチャートである。
【図６】第２の実施の形態に係る擬似カラー画像生成装置の機能ブロック図である。
【図７】第３の実施の形態に係る擬似カラー画像生成装置が実行する擬似カラー画像生成処理を示すフローチャートである。
【図８】第３の実施の形態に係る擬似カラー画像生成装置の機能ブロック図である。
【図９】第４の実施の形態に係る擬似カラー画像生成装置が実行する擬似カラー画像生成処理を示すフローチャートである。
【図１０】第４の実施の形態に係る擬似カラー画像生成装置の機能ブロック図である。
【図１１】第５の実施の形態に係る擬似カラー画像生成装置が実行する擬似カラー画像生成処理を示すフローチャートである。
【図１２】第５の実施の形態に係る擬似カラー画像生成装置の機能ブロック図である。
【図１３】第６の実施の形態に係る擬似カラー画像生成装置が実行する擬似カラー画像生成処理を示すフローチャートである。
【図１４】第６の実施の形態に係る擬似カラー画像生成装置の機能ブロック図である。
【図１５】第７の実施の形態に係る擬似カラー画像生成装置が実行する擬似カラー画像生成処理を示すフローチャートである。
【図１６】第７の実施の形態に係る擬似カラー画像生成装置の機能ブロック図である。
【図１７】第８の実施の形態に係る擬似カラー画像生成装置が実行する擬似カラー画像生成処理を示すフローチャートである。
【図１８】第８の実施の形態に係る擬似カラー画像生成装置の機能ブロック図である。
【図１９】第９の実施の形態に係る擬似カラー画像生成装置が実行する擬似カラー画像生成処理を示すフローチャートである。
【図２０】第９の実施の形態に係る擬似カラー画像生成装置の機能ブロック図である。
【図２１】第１０の実施の形態に係る擬似カラー画像生成装置が実行する擬似カラー画像生成処理を示すフローチャートである。
【図２２】第１０の実施の形態に係る擬似カラー画像生成装置の機能ブロック図である。
【図２３】第１０の実施の形態に係る擬似カラー画像生成装置によって表示される画面の一例である。
【発明を実施するための形態】
【００８２】
以下、図面を参照して本発明の各実施の形態を詳細に説明する。
【００８３】
［第１の実施の形態］
まず、第１の実施の形態について説明する。なお、本実施の形態では、車両に搭載され、かつ、撮影された前方画像から擬似カラー画像を生成して表示する撮影システムに本発明を適用した場合を例に説明する。なお、以下、この撮影システムを擬似カラー画像生成装置と称する。
【００８４】
図１に示すように、本実施の形態に係る擬似カラー画像生成装置１０は、第１撮影装置１２、第２撮影装置１４、赤外光源１６、コンピュータ１８、及び表示装置２０を備えている。
【００８５】
第１撮影装置１２は、自車両の前方を撮影してカラー可視画像（可視光画像）を出力するＣＣＤカメラを備えており、自車両の前方を撮影可能なように取り付けられている。第１撮影装置１２は２次元に配列された複数の画素の各々に入射された光に応じた信号を出力する複数の受光素子を備え、複数の受光素子から出力された信号をデジタル信号に変換して、各々色情報及び輝度情報を含む複数の画素から構成されたカラー可視画像の画像データを生成して出力する。すなわち、第１撮影装置１２は、可視光域の光に基づいて、各々色情報及び輝度情報を含む複数の画素から構成されたカラー可視画像を撮影して出力する。なお、本実施の形態では、色情報には、例えば、彩度及び色相が含まれる。また、本実施の形態では、輝度情報には輝度（輝度値）が含まれ、この輝度情報によって、輝度が示される。
【００８６】
第２撮影装置１４は、入射される光のうち近赤外光の波長帯の光を透過させるフィルタとＣＣＤカメラとを備えており、自車両の前方を撮影可能なように取り付けられている。第２撮影装置１４のレンズ面に対向するように、近赤外光の波長帯の光を透過させるフィルタ（図示省略）が設置されている。第２撮影装置１４は、２次元に配列された複数の画素の各々に入射された光に応じた信号を出力する複数の受光素子を備え、複数の受光素子から出力された信号をデジタル信号に変換して、各々輝度情報（輝度、画素値）を含む複数の画素から構成された赤外画像の画像データを生成して出力する。すなわち、第２撮影装置１４は、近赤外域の光に基づいて、各々輝度情報を含む複数の画素から構成された赤外画像を撮影して出力する。
【００８７】
なお、第１撮影装置１２及び第２撮影装置１４は、本発明の撮影手段に対応する。
【００８８】
赤外光源１６は、第２撮影装置１４による撮影を行う際に、自車両の前方に近赤外域の光（近赤外光を含む光）を照射する。
【００８９】
コンピュータ１８は、第１撮影装置１２によって撮影されたカラー可視画像及び第２撮影装置１４によって撮影された赤外画像に対して画像処理を行って擬似カラー画像を生成して、擬似カラー画像を表示するように表示装置２０を制御する。
【００９０】
コンピュータ１８は、擬似カラー画像生成装置１０全体を制御するためのものである。コンピュータ１８は、ＲＯＭ（Read Only Memory）１８ａ、ＲＡＭ（Random Access Memory）１８ｂ、ＣＰＵ（Central Processing Unit）１８ｃ、及びＩ／Ｏ（入出力）ポート１８ｄを備えている。これらＲＯＭ１８ａ、ＣＰＵ１８ｂ、ＲＡＭ１８ｃ、及びＩ／Ｏポート１８ｄは互いにバス１８ｅを介して接続されている。
【００９１】
記憶媒体としてのＲＯＭ１８ａには、ＯＳ等の基本プログラムが記憶されている。また、ＲＯＭ１８ａには、詳細を以下で説明する擬似カラー画像生成処理の処理ルーチンを実行するためのプログラムが記憶されている。
【００９２】
ＣＰＵ１８ｃは、各プログラムをＲＯＭ１８ａから読み出して処理を実行する。ＲＡＭ１８ｂには、各種データが一時的に記憶される。
【００９３】
コンピュータ１８を以下で詳細を説明する擬似カラー画像生成処理に従って機能ブロックで表すと、図２に示すように、取得手段１８ｆ、生成手段１８ｇ、及び置換手段１８ｈで表すことができる。
【００９４】
取得手段１８ｆは、第１撮影装置１２及び第２撮影装置１４の撮影手段からカラー可視画像及び赤外画像を取得する。
【００９５】
生成手段１８ｇは、カラー可視画像を構成し、かつ輝度が所定値以上の画素については、カラー表示されるように、撮影により得られた輝度情報及び撮影により得られた色情報を用いると共に、カラー可視画像を構成し、かつ輝度が所定値未満の画素については、濃淡表示されるように、撮影により得られた輝度情報を用いて、擬似カラー画像を生成する。また、生成手段１８ｇは、置換手段１８ｈで輝度が置換されている擬似カラー画像の画素については置換された輝度を表す輝度情報及び擬似カラー画像の対応する色情報を用い、置換手段１８ｈで輝度が置換されていない擬似カラー画像の画素については撮影により得られた輝度情報及び擬似カラー画像の対応する色情報を用いて、擬似カラー画像を更に生成する。
【００９６】
置換手段１８ｈは、生成手段１８ｇによって生成された擬似カラー画像を構成する画素であって、赤外画像の対応する画素である対応画素の輝度より輝度が小さい画素の輝度を、対応画素の輝度で置換する。
【００９７】
表示装置２０は、入力されたデータに基づいた画像を表示するＬＣＤ（Liquid Crystal Display）を含んで構成されており、表示装置２０には、コンピュータ１８の制御によって画像が表示される。
【００９８】
次に、コンピュータ１８のＣＰＵ１８ｃが実行する擬似カラー画像生成処理の処理ルーチンについて図３を用いて説明する。なお、本実施の形態では、赤外光源１６によって近赤外域の光が前方に照射されると共に、第１撮影装置１２及び第２撮影装置１４の各々によって、自車両の前方が連続して撮影されているときに、ＣＰＵ１８ｃによって、図３に示す擬似カラー画像生成処理が実行される。
【００９９】
まず、ステップ１００では、第１撮影装置１２より撮影されたカラー可視画像の画像データを取得すると共に、第２撮影装置１４より撮影された赤外画像の画像データを取得する。これにより、第１撮影装置１２及び第２撮影装置１４の撮影手段からカラー可視画像及び赤外画像が取得される。また、ステップ１００は、本発明の取得手段に対応する。
【０１００】
次のステップ１０２では、上記ステップ１００で取得したカラー可視画像に対して、詳細を以下で説明するステップ１０４以降の処理が行われていない画素を、注目画素として設定する。
【０１０１】
次のステップ１０４では、今回上記ステップ１０２で注目画素として設定されたカラー可視画像の画素の画像データをＲＧＢ空間からＨＳＶ空間に変換することにより、上記ステップ１０２で注目画素として設定されたカラー可視画像の画素の色情報（彩度、色相）及び輝度情報（明度（輝度）を含む）を抽出する。
【０１０２】
次のステップ１０６では、上記ステップ１０４で抽出されたカラー可視画像における注目画素の輝度Ｉｃと、所定値Ｔｈ１とを比較して、輝度Ｉｃが所定値Ｔｈ１より小さいか否か（輝度Ｉｃが所定値Ｔｈ１未満であるか否か）を判定する。なお、本実施の形態では、例えば、輝度がある値未満の場合にはその画素の色情報の情報量が少なくなりカラー表示に適さず（すなわち、表示されたカラー画像の視認性が低く）、輝度がその値以上の場合にはその画素の色情報の情報量が多くなりカラー表示に適する（すなわち、表示されたカラー画像の視認性が高い）場合におけるその値を実験的に予め求めておき、求められたその値を、所定値Ｔｈ１として予め設定しておくこととする。なお、輝度が所定値Ｔｈ１未満の画素は、色付けするだけの情報量が色情報に含まれていないと考えられ無理に色付けすると不自然になる。
【０１０３】
ステップ１０６で、輝度Ｉｃが所定値Ｔｈ１未満であると判定された場合には、今回上記ステップ１０２で設定されたカラー可視画像における注目画素の色情報はカラー表示に適した色情報ではないと判断して、次のステップ１０８へ進む。
【０１０４】
ステップ１０８では、今回上記ステップ１０２で設定されたカラー可視画像における注目画素を、濃淡表示画素として決定する。なお、濃淡表示画素として決定されたカラー可視画像における注目画素は、詳細を以下で説明するステップ１２８で濃淡表示される。そして、次のステップ１１２へ進む。
【０１０５】
一方、ステップ１０６で、輝度Ｉｃが所定値Ｔｈ１以上であると判定された場合には、今回上記ステップ１０２で設定されたカラー可視画像における注目画素の色情報はカラー表示に適した色情報であると判断して、次のステップ１１０へ進む。
【０１０６】
ステップ１１０では、今回上記ステップ１０２で設定されたカラー可視画像における注目画素を、カラー表示画素として決定する。なお、カラー表示画素として決定されたカラー可視画像における注目画素は、詳細を以下で説明するステップ１２８でカラー表示される。そして、次のステップ１１２へ進む。
【０１０７】
ステップ１１２では、今回上記ステップ１０２で注目画素として設定されたカラー可視画像の画素であって、上記ステップ１１０でカラー表示画素として決定された画素については、この画素の画像データをＨＳＶ空間からＲＧＢ空間に変換すると共に、今回上記ステップ１０２で注目画素として設定されたカラー可視画像の画素であって、上記ステップ１０８で濃淡表示画素として決定された画素については、この画素の明度をＲ、Ｇ、Ｂの各データとして設定することにより、この画素の画像データをＨＳＶ空間からＲＧＢ空間に変換する。これにより、今回上記ステップ１０２で注目画素として設定されたカラー可視画像の画素のＲＧＢの画像データを得ることができる。なお、ステップ１１２では、今回上記ステップ１０２で注目画素として設定されたカラー可視画像の画素であって、上記ステップ１０８で濃淡表示画素として決定された画素については、この画素の彩度の値を０に変更し、色相の値を所定の色を示す値に変更して（明度は変更せず）から、この画素の画像データをＨＳＶ空間からＲＧＢ空間に変換するようにしてもよい。
【０１０８】
次のステップ１１４では、全ての画素について上記の各ステップ（ステップ１０２、１０４、１０６、１０６で肯定判定された場合には１０８、１０６で否定判定された場合には１１０、及び１１２）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０１０９】
以上、説明したように、上記ステップ１０２、１０４、１０６、１０８、１１０、１１２、１１４の処理では、カラー可視画像を構成し、かつ輝度が所定値Ｔｈ１以上の画素については、カラー表示されるように、撮影により得られた輝度情報（上記ステップ１０４で抽出された輝度情報）及び撮影により得られた色情報（上記ステップ１０４で抽出された色情報）を用いると共に、カラー可視画像を構成し、かつ輝度が所定値Ｔｈ１未満の画素については、濃淡表示されるように、撮影により得られた輝度情報を用いて、擬似カラー画像を生成する。なお、「擬似カラー画像を生成する」とは、「擬似カラー画像の画像データを生成すること」を意味する。
【０１１０】
ステップ１１６では、生成された擬似カラー画像及び上記ステップ１００で取得した赤外画像の各々に対して、同じ位置の画素を注目画素として設定する。なお、ステップ１１６で注目画素として設定される画素は、詳細を以下で説明するステップ１１８以降の処理が行われていない画素とする。また、擬似カラー画像における注目画素に対応する赤外画像における注目画素を、対応画素と称する。
【０１１１】
ステップ１１８では、今回上記ステップ１１６で注目画素として設定された擬似カラー画像の画素の画像データをＲＧＢ空間からＨＳＶ空間に変換することにより、上記ステップ１１６で注目画素として設定された擬似カラー画像の画素の色情報（彩度、色相）及び輝度情報（明度、輝度を含む）を抽出する。
【０１１２】
次のステップ１２０では、今回上記ステップ１１６で設定された擬似カラー画像における注目画素の輝度Ｉｃと、今回上記ステップ１１６で設定された赤外画像における注目画素の輝度Ｉｒとを比較して、輝度Ｉｃが輝度Ｉｒより小さいか否かを判定する。
【０１１３】
ステップ１２０で輝度Ｉｃが輝度Ｉｒより小さいと判定された場合には、次のステップ１２２へ進む。一方、ステップ１２０で輝度Ｉｃが輝度Ｉｒ以上であると判定された場合には、次のステップ１２４へ進む。
【０１１４】
ステップ１２２では、擬似カラー画像における注目画素の輝度Ｉｃを、赤外画像の輝度Ｉｒとすることにより、輝度Ｉｃを輝度Ｉｒで置換する。そして、次のステップ１２４へ進む。
【０１１５】
ステップ１２４では、全ての画素について上記各ステップ（ステップ１１６、１１８、１２０、１２０で肯定判定された場合には１２２）の処理が終了したか否かを判定し、全ての画素について終了していない場合には、上記ステップ１１６へ戻り、まだ処理対象となっていない他の画素を注目画素として設定する。一方、ステップ１２４において、全ての画素について上記各ステップの処理が終了したと判定された場合には、次のステップ１２６へ進む。
【０１１６】
以上、説明したように、上記ステップ１１６、１１８、１２０、１２２、１２４の処理では、擬似カラー画像を構成する画素であって、赤外画像の対応する画素である対応画素の輝度Ｉｒより輝度が小さい画素の輝度Ｉｃを、対応画素の輝度Ｉｒで置換する。
【０１１７】
ステップ１２６では、上記ステップ１２２で輝度が置換されている擬似カラー画像の画素については、上記ステップ１２２で置換された輝度を表す輝度情報及び上記ステップ１１８で抽出された色情報（擬似カラー画像の対応する色情報）を用い、上記ステップ１２２で輝度が置換されていない擬似カラー画像の画素については上記ステップ１１８で抽出された輝度情報及び上記ステップ１１８で抽出された色情報を用いて、擬似カラー画像の各画素の画像データをＨＳＶ空間からＲＧＢ空間に変換する。これにより、擬似カラー画像のＲＧＢの画像データを再び得ることができ、擬似カラー画像のＲＧＢの画像データを再び得ることにより、擬似カラー画像が更に生成される。
【０１１８】
ステップ１２８では、上記ステップ１２６で得られたＲＧＢの画像データを用いて生成された擬似カラー画像を表示するように表示装置２０の表示を制御する。そして、上記ステップ１００へ戻る。
【０１１９】
以上、説明したように、上記ステップ１２６、１２８の処理では、上記ステップ１２２で輝度が置換されている擬似カラー画像の画素については置換された輝度を表す輝度情報及び擬似カラー画像の対応する色情報を用い、上記ステップ１２２で輝度が置換されていない擬似カラー画像の画素については撮影により得られた輝度情報及び擬似カラー画像の対応する色情報を用いて、擬似カラー画像を更に生成する。
【０１２０】
以上、本実施の形態の擬似カラー画像生成処理について説明した。なお、ステップ１００は取得手段１８ｆによって実行され、ステップ１０２、１０４、１０６、１０８、１１０、１１２、１１４、１２６、１２８は生成手段１８ｇによって実行され、ステップ１１６、１１８、１２０、１２２、１２４は置換手段１８ｈによって実行される。
【０１２１】
以上説明したように、本実施の形態に係る擬似カラー画像生成装置１０によれば、より視認性が良好となるように、色情報がカラー表示に適した情報であるカラー可視画像の画素（すなわち、輝度Ｉｃが所定値Ｔｈ１以上のカラー可視画像の画素）については、カラー表示されるように、撮影により得られた輝度情報及び撮影により得られた色情報を用い、色情報がカラー表示に適していない情報であるカラー可視画像の画素（すなわち、輝度Ｉｃが所定値Ｔｈ１未満のカラー可視画像の画素）については、濃淡表示されるように、撮影により得られた輝度情報を用いて、擬似カラー画像を生成する。
【０１２２】
例えば、本実施の形態に係る擬似カラー画像生成装置１０によれば、図４（Ａ）に示すような赤外画像と、図４（Ｂ）に示すようなカラー可視画像とがステップ１００で取得された場合には、ステップ１０２、１０４、１０６、１０８、１１０、１１２、１１４の処理によって、図４（Ｃ）に示すような一部モノクロ（濃淡）画像の擬似カラー画像が生成される。従って、本実施の形態に係る擬似カラー画像生成装置１０によれば、より視認性のよい画像を得ることができる。
【０１２３】
また、ステップ１２６、１２８の処理によって、擬似カラー画像の各画素の輝度Ｉｃと、この各画素に対応する赤外画像の各対応画素の輝度Ｉｒとの比較によって、擬似カラー画像を構成する画素であって、赤外画像の対応画素の輝度Ｉｒより輝度が小さい画素の輝度Ｉｃが、より視認性が良好となるような輝度に置換されて、擬似カラー画像が更に生成される。例えば、図４（Ｄ）に示すような、更に、より視認性のよい擬似カラー画像が生成されて表示装置２０に表示される。
【０１２４】
なお、本実施の形態では、ステップ１０２、１０４、１０６、１０８、１１０、１１２、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１０６、１０８、１１０、１１２、１１４の処理によって生成された擬似カラー画像を表示装置２０に表示するように制御してもよい。
【０１２５】
また、本実施の形態では、上記ステップ１１６、１１８、１２０、１２２、１２４の処理で、擬似カラー画像を構成する画素であって、赤外画像の対応する画素である対応画素の輝度Ｉｒより輝度が小さい画素の輝度Ｉｃを、対応画素の輝度Ｉｒで置換する例について説明した。しかしながら、本発明はこれに限られない。例えば、擬似カラー画像を構成する画素であって、赤外画像の対応する画素である対応画素の輝度Ｉｒより輝度が小さい画素の輝度Ｉｃを、擬似カラー画像を構成する画素の輝度Ｉｃと赤外画像の対応画素の輝度Ｉｒとの加重平均の値で置換するようにしてもよい。なお、この場合には、双方の画素に対して所定の重み付けがされていることとする。これにより、輝度Ｉｒが飽和している場合には、その輝度の飽和を抑制することができる。
【０１２６】
［第２の実施の形態］
次に第２の実施の形態について説明する。第１の実施の形態と同様の構成及び同様の処理については説明を省略する場合がある。なお、この場合には、同一の符号を付して説明を省略することもある。第１の実施の形態と第２の実施の形態とで異なる点について説明する。第１の実施の形態ではＲＯＭ１８ａに図３に示す擬似カラー画像生成処理の処理ルーチンを実行するためのプログラムが記憶されており、ＣＰＵ１８ｃが図３に示す擬似カラー画像生成処理を実行する。一方、第２の実施の形態では、図５に示す擬似カラー画像生成処理の処理ルーチンを実行するためのプログラムがＲＯＭ１８ａに記憶されており、ＣＰＵ１８ｃがＲＯＭ１８ａから図５に示す擬似カラー画像生成処理の処理ルーチンを実行するためのプログラムを読み出して、図５に示す擬似カラー画像生成処理を実行する。このように、第２の実施の形態では、図５に示す擬似カラー画像生成処理を実行する点が、第１の実施の形態とは異なる。
【０１２７】
コンピュータ１８を以下で詳細を説明する図５に示す擬似カラー画像生成処理に従って機能ブロックで表すと、図６に示すように、取得手段１８ｆ、色情報演算手段１８ｉ、置換手段１８ｈ、及び生成手段１８ｊで表すことができる。
【０１２８】
色情報演算手段１８ｉは、カラー可視画像を構成し、かつ輝度が所定値未満の画素の色情報を当該画素周辺の画素であって輝度が当該所定値以上の画素の色情報を用いて補間することにより、カラー可視画像を構成し、かつ輝度が所定値未満の画素の色情報を演算する。
【０１２９】
生成手段１８ｉは、カラー可視画像を構成し、かつ色情報演算手段１８ｉで色情報が演算された画素については、演算された色情報及び撮影により得られた輝度情報を用いると共に、カラー可視画像を構成し、かつ色情報演算手段１８ｉで色情報が演算されていない画素については、撮影により得られた色情報及び撮影により得られた輝度情報を用いて、擬似カラー画像を生成する。
【０１３０】
次に、コンピュータ１８のＣＰＵ１８ｃが実行する図５に示す擬似カラー画像生成処理の処理ルーチンについて説明する。
【０１３１】
まず、第１の実施の形態と同様に、ステップ１００、１０２、１０４、１０６を実行する。
【０１３２】
ステップ１０６で、輝度Ｉｃが所定値Ｔｈ１未満であると判定された場合には、今回上記ステップ１０２で設定されたカラー可視画像における注目画素の色情報はカラー表示に適した色情報ではないと判断して、次のステップ１０９へ進む。
【０１３３】
ステップ１０９では、今回上記ステップ１０２で設定されたカラー可視画像における注目画素周辺の画素（例えば、当該注目画素を中心とした１２８画素×１２８画素の領域の画素）であって輝度が所定値Ｔｈ１以上の画素を特定する。そして、今回上記ステップ１０２で設定されたカラー可視画像における注目画素の色情報を、特定された画素の色情報を用いて補間する（補間処理を行う）ことにより、当該輝度が所定値Ｔｈ１未満のカラー可視画像における注目画素の色情報を演算する。これにより、当該輝度が所定値Ｔｈ１未満のカラー可視画像における注目画素の色情報が、カラー表示に適した情報となる。そして、ステップ１１１へ進む。
【０１３４】
一方、ステップ１０６で、輝度Ｉｃが所定値Ｔｈ１以上であると判定された場合には、今回上記ステップ１０２で設定されたカラー可視画像における注目画素の色情報はカラー表示に適した色情報であると判断して、次のステップ１１１へ進む。
【０１３５】
ステップ１１１では、今回上記ステップ１０２で注目画素として設定されたカラー可視画像の画素が、上記ステップ１０９で色情報が演算された画素である場合には、上記ステップ１０９で演算された色情報及び上記ステップ１０４で抽出された輝度情報（撮影により得られた輝度情報）を用いて、今回上記ステップ１０２で設定された注目画素の画像データをＨＳＶ空間からＲＧＢ空間に変換する。また、ステップ１１１では、今回上記ステップ１０２で注目画素として設定されたカラー可視画像の画素が、上記ステップ１０９で色情報が演算されていない画素である場合には、上記ステップ１０４で抽出された色情報及び上記ステップ１０４で抽出された輝度情報を用いて、今回上記ステップ１０２で設定された注目画素の画像データをＨＳＶ空間からＲＧＢ空間に変換する。これにより、今回上記ステップ１０２で注目画素として設定されたカラー可視画像の画素のＲＧＢの画像データを得ることができる。
【０１３６】
次のステップ１１４では、全ての画素について上記の各ステップ（ステップ１０２、１０４、１０６、１０６で肯定判定された場合には１０９、及び１１１）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。なお、ステップ１１６以降の処理については、第１の実施の形態と同様であるので、説明を省略する。
【０１３７】
以上、説明したように、上記ステップ１０２、１０４、１０６、１０９の処理では、カラー可視画像を構成し、かつ輝度が所定値Ｔｈ１未満の画素の色情報を当該画素周辺の画素であって輝度が所定値Ｔｈ１以上の画素の色情報を用いて補間することにより、カラー可視画像を構成し、かつ輝度が所定値Ｔｈ１未満の画素の色情報を演算する。
【０１３８】
また、上記ステップ１１１、１１４の処理では、カラー可視画像を構成し、かつ上記ステップ１０９で色情報が演算された画素については、演算された色情報及び撮影により得られた輝度情報を用いると共に、カラー可視画像を構成し、かつ上記ステップ１０９で色情報が演算されていない画素については、撮影により得られた色情報及び撮影により得られた輝度情報を用いて、擬似カラー画像を生成する。
【０１３９】
以上、本実施の形態（第２の実施の形態）の擬似カラー画像生成処理について説明した。なお、ステップ１０２、１０４、１０６、１０９は色情報演算手段１８ｉによって実行され、ステップ１１１、１１４、１２６、１２８は生成手段１８ｊによって実行される。
【０１４０】
以上説明したように、本実施の形態に係る擬似カラー画像生成装置１０によれば、より視認性が良好となるように、色情報がカラー表示に適していない情報であるカラー可視画像の画素（すなわち、輝度が所定値Ｔｈ１未満のカラー可視画像の画素）の色情報が、色情報がカラー表示に適した情報であるカラー可視画像の画素（すなわち、輝度が所定値Ｔｈ１以上のカラー可視画像の画素）の色情報を用いた補間によって演算され、そして、カラー可視画像を構成し、かつ上記ステップ１０９で色情報が演算された画素については、演算された色情報及び撮影により得られた輝度情報が用いられると共に、カラー可視画像を構成し、かつ上記ステップ１０９で色情報が演算されていない画素については、撮影により得られた色情報及び撮影により得られた輝度情報が用いられて、擬似カラー画像が生成される。
【０１４１】
従って、本実施の形態に係る擬似カラー画像生成装置１０によれば、より視認性のよい画像を得ることができる。
【０１４２】
なお、本実施の形態では、ステップ１０２、１０４、１０６、１０９、１１１、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１０６、１０９、１１１、１１４の処理によって生成された擬似カラー画像を表示装置２０に表示するように制御してもよい。
【０１４３】
［第３の実施の形態］
次に第３の実施の形態について説明する。第１の実施の形態及び第２の実施の形態と同様の構成及び同様の処理については説明を省略する場合がある。なお、この場合には、同一の符号を付して説明を省略することもある。第１の実施の形態と第３の実施の形態とで異なる点について説明する。第１の実施の形態ではＲＯＭ１８ａに図３に示す擬似カラー画像生成処理の処理ルーチンを実行するためのプログラムが記憶されており、ＣＰＵ１８ｃが図３に示す擬似カラー画像生成処理を実行する。一方、第３の実施の形態では、図７に示す擬似カラー画像生成処理の処理ルーチンを実行するためのプログラムがＲＯＭ１８ａに記憶されており、ＣＰＵ１８ｃがＲＯＭ１８ａから図７に示す擬似カラー画像生成処理の処理ルーチンを実行するためのプログラムを読み出して、図７に示す擬似カラー画像生成処理を実行する。このように、第３の実施の形態では、図７に示す擬似カラー画像生成処理を実行する点が、第１の実施の形態とは異なる。
【０１４４】
コンピュータ１８を以下で詳細を説明する図７に示す擬似カラー画像生成処理に従って機能ブロックで表すと、図８に示すように、取得手段１８ｆ、生成手段１８ｋ、及び置換手段１８ｈで表すことができる。
【０１４５】
生成手段１８ｋは、カラー可視画像を構成し、かつ輝度が所定値以上の画素については、濃淡表示されるように、撮影により得られた輝度情報を用いると共に、カラー可視画像を構成し、かつ輝度が所定値未満の画素については、カラー表示されるように、撮影により得られた輝度情報及び撮影により得られた色情報を用いて、擬似カラー画像を生成する。
【０１４６】
次に、コンピュータ１８のＣＰＵ１８ｃが実行する図７に示す擬似カラー画像生成処理の処理ルーチンについて説明する。
【０１４７】
まず、第１の実施の形態と同様に、ステップ１００、１０２、１０４を実行する。
【０１４８】
次のステップ１０７では、上記ステップ１０４で抽出されたカラー可視画像における注目画素の輝度Ｉｃと、所定値Ｔｈ２とを比較して、輝度Ｉｃが所定値Ｔｈ２以上であるか否かを判定する。なお、本実施の形態では、例えば、輝度がある値以上の場合にはその画素でハレーションが発生（画素の輝度が飽和）しており色情報の情報量が少なくなりカラー表示に適さず（すなわち、表示されたカラー画像の視認性が低く）、輝度がその値未満の場合にはその画素の色情報の情報量が多くなりカラー表示に適する（すなわち、表示されたカラー画像の視認性が高い）場合におけるその値を実験的に予め求めておき、求められたその値を所定値Ｔｈ２として予め設定しておくこととする。なお、輝度が所定値Ｔｈ２以上の画素は、色付けするだけの情報量が色情報に含まれていないと考えられ無理に色付けすると不自然になる。
【０１４９】
ステップ１０７で、輝度Ｉｃが所定値Ｔｈ２以上であると判定された場合には、今回上記ステップ１０２で設定されたカラー可視画像における注目画素の色情報はカラー表示に適した色情報ではないと判断して、次のステップ１０８へ進む。
【０１５０】
ステップ１０８では、第１の実施の形態と同様に、今回上記ステップ１０２で設定されたカラー可視画像における注目画素を、濃淡表示画素として決定する。なお、濃淡表示画素として決定されたカラー可視画像における注目画素は、詳細を以下で説明するステップ１２８で濃淡表示される。そして、次のステップ１１２へ進む。
【０１５１】
一方、ステップ１０７で、輝度Ｉｃが所定値Ｔｈ２未満であると判定された場合には、今回上記ステップ１０２で設定されたカラー可視画像における注目画素の色情報はカラー表示に適した色情報であると判断して、次のステップ１１０へ進む。
【０１５２】
ステップ１１０では、第１の実施の形態と同様に、今回上記ステップ１０２で設定されたカラー可視画像における注目画素を、カラー表示画素として決定する。なお、カラー表示画素として決定されたカラー可視画像における注目画素は、詳細を以下で説明するステップ１２８でカラー表示される。そして、次のステップ１１２へ進む。
【０１５３】
ステップ１１２では、第１の実施の形態と同様に、今回上記ステップ１０２で注目画素として設定されたカラー可視画像の画素の画像データをＨＳＶ空間からＲＧＢ空間に変換する。
【０１５４】
次のステップ１１４では、全ての画素について上記の各ステップ（ステップ１０２、１０４、１０７、１０７で肯定判定された場合には１０８、１０７で否定判定された場合には１１０、１１２）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０１５５】
以上、説明したように、上記ステップ１０２、１０４、１０７、１０８、１１０、１１２、１１４の処理では、カラー可視画像を構成し、かつ輝度が所定値Ｔｈ２以上の画素については、濃淡表示されるように、撮影により得られた輝度情報を用いると共に、カラー可視画像を構成し、かつ輝度が所定値Ｔｈ２未満の画素については、カラー表示されるように、撮影により得られた輝度情報及び撮影により得られた色情報を用いて、擬似カラー画像を生成する。
【０１５６】
以降の各ステップ（ステップ１１６、１１８、１２０、１２２、１２４、１２６、１２８）については、第１の実施の形態と同様であるため、説明を省略する。
【０１５７】
以上、本実施の形態（第３の実施の形態）の擬似カラー画像生成処理について説明した。なお、ステップ１０２、１０４、１０７、１０８、１１０、１１２、１１４、１２６、１２８は生成手段１８ｋによって実行される。
【０１５８】
以上説明したように、本実施の形態に係る擬似カラー画像生成装置１０によれば、より視認性が良好となるように、色情報がカラー表示に適した情報であるカラー可視画像の画素（すなわち、輝度が所定値Ｔｈ２未満のカラー可視画像の画素）については、カラー表示されるように、撮影により得られた輝度情報及び撮影により得られた色情報を用い、色情報がカラー表示に適していない情報であるカラー可視画像の画素（すなわち、輝度が所定値Ｔｈ２以上のカラー可視画像の画素）については、濃淡表示されるように、撮影により得られた輝度情報を用いて、擬似カラー画像を生成する。
【０１５９】
従って、本実施の形態に係る擬似カラー画像生成装置１０によれば、より視認性のよい画像を得ることができる。
【０１６０】
なお、本実施の形態では、ステップ１０２、１０４、１０７、１０８、１１０、１１２、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１０７、１０８、１１０、１１２、１１４の処理によって生成された擬似カラー画像を表示装置２０に表示するように制御してもよい。
【０１６１】
［第４の実施の形態］
次に第４の実施の形態について説明する。第１〜３の各実施の形態と同様の構成及び同様の処理については説明を省略する場合がある。なお、この場合には、同一の符号を付して説明を省略することもある。第２の実施の形態と第４の実施の形態とで異なる点について説明する。第２の実施の形態ではＲＯＭ１８ａに図５に示す擬似カラー画像生成処理の処理ルーチンを実行するためのプログラムが記憶されており、ＣＰＵ１８ｃが図５に示す擬似カラー画像生成処理を実行する。一方、第４の実施の形態では、図９に示す擬似カラー画像生成処理の処理ルーチンを実行するためのプログラムがＲＯＭ１８ａに記憶されており、ＣＰＵ１８ｃがＲＯＭ１８ａから図９に示す擬似カラー画像生成処理の処理ルーチンを実行するためのプログラムを読み出して、図９に示す擬似カラー画像生成処理を実行する。このように、第４の実施の形態では、図９に示す擬似カラー画像生成処理を実行する点が、第２の実施の形態とは異なる。
【０１６２】
コンピュータ１８を以下で詳細を説明する図９に示す擬似カラー画像生成処理に従って機能ブロックで表すと、図１０に示すように、取得手段１８ｆ、色情報演算手段１８ｌ、置換手段１８ｈ、及び生成手段１８ｍで表すことができる。
【０１６３】
色情報演算手段１８ｌは、カラー可視画像を構成し、かつ輝度が所定値以上の画素の色情報を当該画素周辺の画素であって輝度が所定値未満の画素の色情報を用いて補間することにより、カラー可視画像を構成し、かつ輝度が所定値以上の画素の色情報を演算する。
【０１６４】
生成手段１８ｍは、カラー可視画像を構成し、かつ色情報演算手段１８ｌで色情報が演算された画素については、演算された色情報及び撮影により得られた輝度情報を用いると共に、カラー可視画像を構成し、かつ色情報演算手段１８ｌで色情報が演算されていない画素については、撮影により得られた色情報及び撮影により得られた輝度情報を用いて、擬似カラー画像を生成する。
【０１６５】
次に、コンピュータ１８のＣＰＵ１８ｃが実行する図９に示す擬似カラー画像生成処理の処理ルーチンについて説明する。
【０１６６】
まず、第３の実施の形態と同様に、ステップ１００、１０２、１０４、１０７を実行する。
【０１６７】
ステップ１０７で、輝度Ｉｃが所定値Ｔｈ２以上であると判定された場合には、今回上記ステップ１０２で設定されたカラー可視画像における注目画素の色情報はカラー表示に適した色情報ではないと判断して、次のステップ１１３へ進む。
【０１６８】
ステップ１１３では、今回上記ステップ１０２で設定されたカラー可視画像における注目画素周辺の画素（例えば、当該注目画素を中心とした１２８画素×１２８画素の領域の画素）であって輝度が所定値Ｔｈ２未満の画素を特定する。そして、今回上記ステップ１０２で設定されたカラー可視画像における注目画素の色情報を、特定された画素の色情報を用いて補間する（補間処理を行う）ことにより、当該輝度が所定値Ｔｈ２以上のカラー可視画像における注目画素の色情報を演算する。これにより、当該輝度が所定値Ｔｈ２以上のカラー可視画像における注目画素の色情報が、カラー表示に適した情報となる。そして、ステップ１１５へ進む。
【０１６９】
一方、ステップ１０７で、輝度Ｉｃが所定値Ｔｈ２未満であると判定された場合には、今回上記ステップ１０２で設定されたカラー可視画像における注目画素の色情報はカラー表示に適した色情報であると判断して、次のステップ１１５へ進む。
【０１７０】
ステップ１１５では、今回上記ステップ１０２で注目画素として設定されたカラー可視画像の画素が、上記ステップ１１３で色情報が演算された画素である場合には、上記ステップ１１３で演算された色情報及び上記ステップ１０４で抽出された輝度情報（撮影により得られた輝度情報）を用いて、今回上記ステップ１０２で設定された注目画素の画像データをＨＳＶ空間からＲＧＢ空間に変換する。また、ステップ１１５では、今回上記ステップ１０２で注目画素として設定されたカラー可視画像の画素が、上記ステップ１１３で色情報が演算されていない画素である場合には、上記ステップ１０４で抽出された色情報及び上記ステップ１０４で抽出された輝度情報を用いて、今回上記ステップ１０２で設定された注目画素の画像データをＨＳＶ空間からＲＧＢ空間に変換する。これにより、今回上記ステップ１０２で注目画素として設定されたカラー可視画像の画素のＲＧＢの画像データを得ることができる。
【０１７１】
次のステップ１１４では、全ての画素について上記の各ステップ（ステップ１０２、１０４、１０７、１０７で肯定判定された場合には１１３、１１５）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０１７２】
以上、説明したように、上記ステップ１０２、１０４、１０７、１１３の処理では、カラー可視画像を構成し、かつ輝度が所定値Ｔｈ２以上の画素の色情報を当該画素周辺の画素であって輝度が所定値Ｔｈ２未満の画素の色情報を用いて補間することにより、カラー可視画像を構成し、かつ輝度が所定値Ｔｈ２以上の画素の色情報を演算する。
【０１７３】
また、上記ステップ１１５、１１４の処理では、カラー可視画像を構成し、かつ上記ステップ１１３で色情報が演算された画素については、演算された色情報及び撮影により得られた輝度情報を用いると共に、カラー可視画像を構成し、かつ上記ステップ１１３で色情報が演算されていない画素については、撮影により得られた色情報及び撮影により得られた輝度情報を用いて、擬似カラー画像を生成する。
【０１７４】
以降の各ステップ（ステップ１１６、１１８、１２０、１２２、１２４、１２６、１２８）については、第１の実施の形態と同様であるため、説明を省略する。
【０１７５】
以上、本実施の形態（第４の実施の形態）の擬似カラー画像生成処理について説明した。なお、ステップ１０２、１０４、１０７、１１３は色情報演算手段１８ｌによって実行され、ステップ１１５、１１４、１２６、１２８は生成手段１８ｍによって実行される。
【０１７６】
以上説明したように、本実施の形態に係る擬似カラー画像生成装置１０によれば、より視認性が良好となるように、色情報がカラー表示に適していない情報であるカラー可視画像の画素（すなわち、輝度が所定値Ｔｈ２以上のカラー可視画像の画素）の色情報が、色情報がカラー表示に適した情報であるカラー可視画像の画素（すなわち、輝度が所定値Ｔｈ２未満のカラー可視画像の画素）の色情報を用いた補間によって演算され、そして、カラー可視画像を構成し、かつ色情報が演算された画素については、演算された色情報及び撮影により得られた輝度情報が用いられると共に、カラー可視画像を構成し、かつ色情報が演算されていない画素については、撮影により得られた色情報及び撮影により得られた輝度情報が用いられて、擬似カラー画像が生成される。
【０１７７】
従って、本実施の形態に係る擬似カラー画像生成装置１０によれば、より視認性のよい画像を得ることができる。
【０１７８】
なお、本実施の形態では、ステップ１０２、１０４、１０７、１１３、１１５、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１０７、１１３、１１５、１１４の処理によって生成された擬似カラー画像を表示装置２０に表示するように制御してもよい。
【０１７９】
［第５の実施の形態］
次に第５の実施の形態について説明する。第１〜４の各実施の形態と同様の構成及び同様の処理については説明を省略する場合がある。なお、この場合には、同一の符号を付して説明を省略することもある。第１の実施の形態と第５の実施の形態とで異なる点について説明する。第１の実施の形態ではＲＯＭ１８ａに図３に示す擬似カラー画像生成処理の処理ルーチンを実行するためのプログラムが記憶されており、ＣＰＵ１８ｃが図３に示す擬似カラー画像生成処理を実行する。一方、第５の実施の形態では、図１１に示す擬似カラー画像生成処理の処理ルーチンを実行するためのプログラムがＲＯＭ１８ａに記憶されており、ＣＰＵ１８ｃがＲＯＭ１８ａから図１１に示す擬似カラー画像生成処理の処理ルーチンを実行するためのプログラムを読み出して、図１１に示す擬似カラー画像生成処理を実行する。このように、第５の実施の形態では、図１１に示す擬似カラー画像生成処理を実行する点が、第１の実施の形態とは異なる。
【０１８０】
コンピュータ１８を以下で詳細を説明する図１１に示す擬似カラー画像生成処理に従って機能ブロックで表すと、図１２に示すように、取得手段１８ｆ、生成手段１８ｎ、及び置換手段１８ｈで表すことができる。
【０１８１】
生成手段１８ｎは、カラー可視画像を構成し、かつ彩度が所定値以上の画素については、カラー表示されるように、撮影により得られた輝度情報及び撮影により得られた色情報を用いると共に、カラー可視画像を構成し、かつ彩度が所定値未満の画素については、濃淡表示されるように、撮影により得られた輝度情報を用いて、擬似カラー画像を生成する。
【０１８２】
次に、コンピュータ１８のＣＰＵ１８ｃが実行する図１１に示す擬似カラー画像生成処理の処理ルーチンについて説明する。
【０１８３】
まず、第１の実施の形態と同様に、ステップ１００、１０２、１０４を実行する。
【０１８４】
次のステップ１５０では、上記ステップ１０４で抽出されたカラー可視画像における注目画素の彩度Ｓｃと、所定値Ｔｈ３とを比較して、彩度Ｓｃが所定値Ｔｈ３より小さいか否か（彩度Ｓｃが所定値Ｔｈ３未満であるか否か）を判定する。なお、本実施の形態では、例えば、彩度がある値未満の場合にはその画素の色情報の情報量が少なくなりカラー表示に適さず（すなわち、表示されたカラー画像の視認性が低く）、彩度がその値以上の場合にはその画素の色情報の情報量が多くなりカラー表示に適する（すなわち、表示されたカラー画像の視認性が高い）場合におけるその値を実験的に予め求めておき、求められたその値を、所定値Ｔｈ３として予め設定しておくこととする。なお、彩度が所定値Ｔｈ３未満の画素は、色付けするだけの情報量が色情報に含まれていないと考えられ無理に色付けすると不自然になる。
【０１８５】
ステップ１５０で、彩度Ｓｃが所定値Ｔｈ３未満であると判定された場合には、今回上記ステップ１０２で設定されたカラー可視画像における注目画素の色情報はカラー表示に適した色情報ではないと判断して、次のステップ１０８へ進む。
【０１８６】
ステップ１０８では、第１の実施の形態と同様に、今回上記ステップ１０２で設定されたカラー可視画像における注目画素を、濃淡表示画素として決定する。そして、次のステップ１１２へ進む。
【０１８７】
一方、ステップ１５０で、彩度Ｓｃが所定値Ｔｈ３以上であると判定された場合には、今回上記ステップ１０２で設定されたカラー可視画像における注目画素の色情報はカラー表示に適した色情報であると判断して、次のステップ１１０へ進む。
【０１８８】
ステップ１１０では、第１の実施の形態と同様に、今回上記ステップ１０２で設定されたカラー可視画像における注目画素を、カラー表示画素として決定する。そして、次のステップ１１２へ進む。
【０１８９】
ステップ１１２では、第１の実施の形態と同様に、今回上記ステップ１０２で注目画素として設定されたカラー可視画像の画素の画像データをＨＳＶ空間からＲＧＢ空間に変換する。
【０１９０】
次のステップ１１４では、全ての画素について上記の各ステップ（ステップ１０２、１０４、１５０、１５０で肯定判定された場合には１０８、１５０で否定判定された場合には１１０、１１２）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０１９１】
以上、説明したように、上記ステップ１０２、１０４、１５０、１０８、１１０、１１２、１１４の処理では、カラー可視画像を構成し、かつ彩度が所定値Ｔｈ３以上の画素については、カラー表示されるように、撮影により得られた輝度情報及び撮影により得られた色情報を用いると共に、カラー可視画像を構成し、かつ彩度が所定値Ｔｈ３未満の画素については、濃淡表示されるように、撮影により得られた輝度情報を用いて、擬似カラー画像を生成する。
【０１９２】
以降の各ステップ（ステップ１１６、１１８、１２０、１２２、１２４、１２６、１２８）は、第１の実施の形態と同様であるので、説明を省略する。
【０１９３】
以上、本実施の形態（第５の実施の形態）の擬似カラー画像生成処理について説明した。なお、ステップ１０２、１０４、１５０、１０８、１１０、１１２、１１４、１２６、１２８は生成手段１８ｎによって実行される。
【０１９４】
以上説明したように、本実施の形態に係る擬似カラー画像生成装置１０によれば、より視認性が良好となるように、色情報がカラー表示に適した情報であるカラー可視画像の画素（すなわち、彩度が所定値Ｔｈ３以上のカラー可視画像の画素）については、カラー表示されるように、撮影により得られた輝度情報及び撮影により得られた色情報を用い、色情報がカラー表示に適していない情報であるカラー可視画像の画素（すなわち、彩度が所定値Ｔｈ３未満のカラー可視画像の画素）については、濃淡表示されるように、撮影により得られた輝度情報を用いて、擬似カラー画像を生成する。
【０１９５】
従って、本実施の形態に係る擬似カラー画像生成装置１０によれば、より視認性のよい画像を得ることができる。
【０１９６】
なお、本実施の形態では、ステップ１０２、１０４、１５０、１０８、１１０、１１２、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１５０、１０８、１１０、１１２、１１４の処理によって生成された擬似カラー画像を表示装置２０に表示するように制御してもよい。
【０１９７】
［第６の実施の形態］
次に第６の実施の形態について説明する。第１〜５の各実施の形態と同様の構成及び同様の処理については説明を省略する場合がある。なお、この場合には、同一の符号を付して説明を省略することもある。第５の実施の形態と第６の実施の形態とで異なる点について説明する。第５の実施の形態ではＲＯＭ１８ａに図１１に示す擬似カラー画像生成処理の処理ルーチンを実行するためのプログラムが記憶されており、ＣＰＵ１８ｃが図１１に示す擬似カラー画像生成処理を実行する。一方、第６の実施の形態では、図１３に示す擬似カラー画像生成処理の処理ルーチンを実行するためのプログラムがＲＯＭ１８ａに記憶されており、ＣＰＵ１８ｃがＲＯＭ１８ａから図１３に示す擬似カラー画像生成処理の処理ルーチンを実行するためのプログラムを読み出して、図１３に示す擬似カラー画像生成処理を実行する。このように、第６の実施の形態では、図１３に示す擬似カラー画像生成処理を実行する点が、第５の実施の形態とは異なる。
【０１９８】
コンピュータ１８を以下で詳細を説明する図１３に示す擬似カラー画像生成処理に従って機能ブロックで表すと、図１４に示すように、取得手段１８ｆ、色情報演算手段１８ｏ、置換手段１８ｈ、及び生成手段１８ｐで表すことができる。
【０１９９】
色情報演算手段１８ｏは、カラー可視画像を構成し、かつ彩度が所定値未満の画素の色情報を当該画素周辺の画素であって彩度が所定値以上の画素の色情報を用いて補間することにより、カラー可視画像を構成し、かつ彩度が所定値未満の画素の色情報を演算する。
【０２００】
生成手段１８ｐは、カラー可視画像を構成し、かつ色情報演算手段１８ｏで色情報が演算された画素については、演算された色情報及び撮影により得られた輝度情報を用いると共に、カラー可視画像を構成し、かつ色情報演算手段１８ｏで色情報が演算されていない画素については、撮影により得られた色情報及び撮影により得られた輝度情報を用いて、擬似カラー画像を生成する。
【０２０１】
次に、コンピュータ１８のＣＰＵ１８ｃが実行する図１３に示す擬似カラー画像生成処理の処理ルーチンについて説明する。
【０２０２】
まず、第５の実施の形態と同様に、ステップ１００、１０２、１０４、１５０を実行する。
【０２０３】
ステップ１５０で、彩度Ｓｃが所定値Ｔｈ３未満であると判定された場合には、今回上記ステップ１０２で設定されたカラー可視画像における注目画素の色情報はカラー表示に適した色情報ではないと判断して、次のステップ１５２へ進む。
【０２０４】
ステップ１５２では、今回上記ステップ１０２で設定されたカラー可視画像における注目画素周辺の画素（例えば、当該注目画素を中心とした１２８画素×１２８画素の領域の画素）であって彩度が所定値Ｔｈ３以上の画素を特定する。そして、今回上記ステップ１０２で設定されたカラー可視画像における注目画素の色情報を、特定された画素の色情報を用いて補間する（補間処理を行う）ことにより、当該彩度が所定値Ｔｈ３未満のカラー可視画像における注目画素の色情報を演算する。これにより、当該彩度が所定値Ｔｈ３未満のカラー可視画像における注目画素の色情報が、カラー表示に適した情報となる。そして、ステップ１５４へ進む。
【０２０５】
一方、ステップ１５０で、彩度Ｓｃが所定値Ｔｈ３以上であると判定された場合には、今回上記ステップ１０２で設定されたカラー可視画像における注目画素の色情報はカラー表示に適した色情報であると判断して、次のステップ１５４へ進む。
【０２０６】
ステップ１５４では、今回上記ステップ１０２で注目画素として設定されたカラー可視画像の画素が、上記ステップ１５２で色情報が演算された画素である場合には、上記ステップ１５２で演算された色情報及び上記ステップ１０４で抽出された輝度情報（撮影により得られた輝度情報）を用いて、今回上記ステップ１０２で設定された注目画素の画像データをＨＳＶ空間からＲＧＢ空間に変換する。また、ステップ１５４では、今回上記ステップ１０２で注目画素として設定されたカラー可視画像の画素が、上記ステップ１５２で色情報が演算されていない画素である場合には、上記ステップ１０４で抽出された色情報及び上記ステップ１０４で抽出された輝度情報を用いて、今回上記ステップ１０２で設定された注目画素の画像データをＨＳＶ空間からＲＧＢ空間に変換する。これにより、今回上記ステップ１０２で注目画素として設定されたカラー可視画像の画素のＲＧＢの画像データを得ることができる。
【０２０７】
次のステップ１１４では、全ての画素について上記の各ステップ（ステップ１０２、１０４、１５０、１５０で肯定判定された場合には１５２、及び１５４）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０２０８】
以上、説明したように、上記ステップ１０２、１０４、１５０、１５２の処理では、カラー可視画像を構成し、かつ彩度が所定値Ｔｈ３未満の画素の色情報を当該画素周辺の画素であって彩度が所定値Ｔｈ３以上の画素の色情報を用いて補間することにより、カラー可視画像を構成し、かつ彩度が所定値Ｔｈ３未満の画素の色情報を演算する。
【０２０９】
また、上記ステップ１５４、１１４の処理では、カラー可視画像を構成し、かつ上記ステップ１５２で色情報が演算された画素については、演算された色情報及び撮影により得られた輝度情報を用いると共に、カラー可視画像を構成し、かつ上記ステップ１５２で色情報が演算されていない画素については、撮影により得られた色情報及び撮影により得られた輝度情報を用いて、擬似カラー画像を生成する。
【０２１０】
以降の各ステップ（ステップ１１６、１１８、１２０、１２２、１２４、１２６、１２８）は、第１の実施の形態と同様であるので、説明を省略する。
【０２１１】
以上、本実施の形態（第６の実施の形態）の擬似カラー画像生成処理について説明した。なお、ステップ１０２、１０４、１５０、１５２は色情報演算手段１８ｏで演算され、ステップ１５４、１１４、１２６、１２８は生成手段１８ｐによって実行される。
【０２１２】
以上説明したように、本実施の形態に係る擬似カラー画像生成装置１０によれば、より視認性が良好となるように、色情報がカラー表示に適していない情報であるカラー可視画像の画素（すなわち、彩度が所定値Ｔｈ３未満のカラー可視画像の画素）の色情報が、色情報がカラー表示に適した情報であるカラー可視画像の画素（すなわち、彩度が所定値Ｔｈ３以上のカラー可視画像の画素）の色情報を用いた補間によって演算され、そして、カラー可視画像を構成し、かつ上記ステップ１５２で色情報が演算された画素については、演算された色情報及び撮影により得られた輝度情報が用いられると共に、カラー可視画像を構成し、かつ上記ステップ１５２で色情報が演算されていない画素については、撮影により得られた色情報及び撮影により得られた輝度情報が用いられて、擬似カラー画像が生成される。
【０２１３】
従って、本実施の形態に係る擬似カラー画像生成装置１０によれば、より視認性のよい画像を得ることができる。
【０２１４】
なお、本実施の形態では、ステップ１０２、１０４、１５０、１５２、１５４、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１５０、１５２、１５４、１１４の処理によって生成された擬似カラー画像を表示装置２０に表示するように制御してもよい。
【０２１５】
［第７の実施の形態］
次に第７の実施の形態について説明する。第１〜６の各実施の形態と同様の構成及び同様の処理については説明を省略する場合がある。なお、この場合には、同一の符号を付して説明を省略することもある。第１の実施の形態と第７の実施の形態とで異なる点について説明する。第１の実施の形態ではＲＯＭ１８ａに図３に示す擬似カラー画像生成処理の処理ルーチンを実行するためのプログラムが記憶されており、ＣＰＵ１８ｃが図３に示す擬似カラー画像生成処理を実行する。一方、第７の実施の形態では、図１５に示す擬似カラー画像生成処理の処理ルーチンを実行するためのプログラムがＲＯＭ１８ａに記憶されており、ＣＰＵ１８ｃがＲＯＭ１８ａから図１５に示す擬似カラー画像生成処理の処理ルーチンを実行するためのプログラムを読み出して、図１５に示す擬似カラー画像生成処理を実行する。このように、第７の実施の形態では、図１５に示す擬似カラー画像生成処理を実行する点が、第１の実施の形態とは異なる。
【０２１６】
コンピュータ１８を以下で詳細を説明する図１５に示す擬似カラー画像生成処理に従って機能ブロックで表すと、図１６に示すように、取得手段１８ｆ、生成手段１８ｑ、及び置換手段１８ｈで表すことができる。
【０２１７】
生成手段１８ｑは、カラー可視画像を構成し、かつ輝度が第１の所定値以上であり第１の所定値より大きい第２の所定値未満の画素については、カラー表示されるように、撮影により得られた輝度情報及び撮影により得られた色情報を用いると共に、カラー可視画像を構成し、かつ輝度が第１の所定値未満及び第２の所定値以上の画素については、濃淡表示されるように、撮影により得られた輝度情報を用いて、擬似カラー画像を生成する。
【０２１８】
次に、コンピュータ１８のＣＰＵ１８ｃが実行する図１５に示す擬似カラー画像生成処理の処理ルーチンについて説明する。
【０２１９】
まず、第１の実施の形態と同様に、ステップ１００、１０２、１０４を実行する。そして、ステップ１６０へ進む。ステップ１６０では、上記ステップ１０４で抽出されたカラー可視画像における注目画素の輝度Ｉｃと、上記所定値Ｔｈ１（第１の所定値）及び上記所定値Ｔｈ２（第２の所定値）とを比較して、輝度Ｉｃが所定値Ｔｈ１以上であり所定値Ｔｈ２未満であるか否かを判定する。なお、所定値Ｔｈ２は所定値Ｔｈ１より大きい値である。
【０２２０】
ステップ１６０で、輝度Ｉｃが所定値Ｔｈ１以上であり所定値Ｔｈ２未満であると判定された場合には、次のステップ１１０へ進む。一方、ステップ１６０で、輝度Ｉｃが所定値Ｔｈ１未満であるか、または所定値Ｔｈ２以上であると判定された場合には、次のステップ１０８へ進む。
【０２２１】
ステップ１０８では、第１の実施の形態と同様に、今回上記ステップ１０２で設定されたカラー可視画像における注目画素を、濃淡表示画素として決定する。そして、次のステップ１１２へ進む。
【０２２２】
ステップ１１０では、今回上記ステップ１０２で設定されたカラー可視画像における注目画素を、カラー表示画素として決定する。そして、次のステップ１１２へ進む。
【０２２３】
ステップ１１２では、第１の実施の形態と同様に、今回上記ステップ１０２で注目画素として設定されたカラー可視画像の画素の画像データをＨＳＶ空間からＲＧＢ空間に変換する。
【０２２４】
次のステップ１１４では、全ての画素について上記の各ステップ（ステップ１０２、１０４、１６０、１６０で肯定判定された場合には１１０、１６０で否定判定された場合には１０８、１１２）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０２２５】
以上、説明したように、上記ステップ１０２、１０４、１６０、１０８、１１０、１１２、１１４の処理では、カラー可視画像を構成し、かつ輝度が第１の所定値Ｔｈ１以上であり第１の所定値より大きい第２の所定値Ｔｈ２未満の画素については、カラー表示されるように、撮影により得られた輝度情報及び撮影により得られた色情報を用いると共に、カラー可視画像を構成し、かつ輝度が第１の所定値Ｔｈ１未満及び第２の所定値Ｔｈ２以上の画素については、濃淡表示されるように、撮影により得られた輝度情報を用いて、擬似カラー画像を生成する。
【０２２６】
以降の各ステップ（ステップ１１６、１１８、１２０、１２２、１２４、１２６、１２８は、第１の実施の形態と同様であるので、説明を省略する。
【０２２７】
以上、本実施の形態（第７の実施の形態）の擬似カラー画像生成処理について説明した。なお、ステップ１０２、１０４、１６０、１０８、１１０、１１２、１１４、１２６、１２８は生成手段１８ｑによって実行される。
【０２２８】
以上説明したように、本実施の形態に係る擬似カラー画像生成装置１０によれば、より視認性が良好となるように、色情報がカラー表示に適した情報であるカラー可視画像の画素（すなわち、輝度が第１の所定値Ｔｈ１以上であり第２の所定値Ｔｈ２未満のカラー可視画像の画素）については、カラー表示されるように、撮影により得られた輝度情報及び撮影により得られた色情報を用い、色情報がカラー表示に適していない情報であるカラー可視画像の画素（すなわち、輝度が第１の所定値Ｔｈ１未満及び第２の所定値Ｔｈ２以上のカラー可視画像の画素）については、濃淡表示されるように、撮影により得られた輝度情報を用いて、擬似カラー画像を生成する。
【０２２９】
従って、本実施の形態に係る擬似カラー画像生成装置１０によれば、より視認性のよい画像を得ることができる。
【０２３０】
なお、本実施の形態では、ステップ１０２、１０４、１６０、１０８、１１０、１１２、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１６０、１０８、１１０、１１２、１１４の処理によって生成された擬似カラー画像を表示装置２０に表示するように制御してもよい。
【０２３１】
［第８の実施の形態］
次に第８の実施の形態について説明する。第１〜７の各実施の形態と同様の構成及び同様の処理については説明を省略する場合がある。なお、この場合には、同一の符号を付して説明を省略することもある。第７の実施の形態と第８の実施の形態とで異なる点について説明する。第７の実施の形態ではＣＰＵ１８ｃが図１５に示す擬似カラー画像生成処理を実行する。一方、第８の実施の形態では、図１７に示す擬似カラー画像生成処理の処理ルーチンを実行するためのプログラムがＲＯＭ１８ａに記憶されており、ＣＰＵ１８ｃがＲＯＭ１８ａから図１７に示す擬似カラー画像生成処理の処理ルーチンを実行するためのプログラムを読み出して、図１７に示す擬似カラー画像生成処理を実行する。このように、第８の実施の形態では、図１７に示す擬似カラー画像生成処理を実行する点が、第７の実施の形態とは異なる。
【０２３２】
コンピュータ１８を以下で詳細を説明する図１７に示す擬似カラー画像生成処理に従って機能ブロックで表すと、図１８に示すように、取得手段１８ｆ、色情報演算手段１８ｒ、置換手段１８ｈ、及び生成手段１８ｓで表すことができる。
【０２３３】
色情報演算手段１８ｒは、カラー可視画像を構成し、かつ輝度が第１の所定値未満及び第１の所定値より大きい第２の所定値以上の画素の色情報を、当該画素周辺の画素であって輝度が第１の所定値以上第２の所定値未満の画素の色情報を用いて補間することにより、カラー可視画像を構成し、かつ輝度が第１の所定値未満及び第２の所定値以上の画素の色情報を演算する。
【０２３４】
生成手段１８ｓは、カラー可視画像を構成し、かつ色情報演算手段１８ｒで色情報が演算された画素については、演算された色情報及び撮影により得られた輝度情報を用いると共に、カラー可視画像を構成し、かつ色情報演算手段１８ｒで色情報が演算されていない画素については、撮影により得られた色情報及び撮影により得られた輝度情報を用いて、擬似カラー画像を生成する。
【０２３５】
次に、コンピュータ１８のＣＰＵ１８ｃが実行する図１７に示す擬似カラー画像生成処理の処理ルーチンについて説明する。
【０２３６】
まず、第７の実施の形態と同様に、ステップ１００、１０２、１０４、１６０を実行する。ステップ１６０で、否定判定された場合（輝度Ｉｃが所定値Ｔｈ１未満であるか、または所定値Ｔｈ２以上であると判定された場合）には、ステップ１６２へ進む。一方、ステップ１６０で、肯定判定された場合（輝度Ｉｃが所定値Ｔｈ１以上であり所定値Ｔｈ２未満であると判定された場合）には、ステップ１６４へ進む。
【０２３７】
ステップ１６２では、今回上記ステップ１０２で設定されたカラー可視画像における注目画素周辺の画素（例えば、当該注目画素を中心とした１２８画素×１２８画素の領域の画素）であって輝度が所定値Ｔｈ１以上所定値Ｔｈ２未満の画素を特定する。そして、今回上記ステップ１０２で設定されたカラー可視画像における注目画素の色情報を、特定された画素の色情報を用いて補間する（補間処理を行う）ことにより、当該輝度が所定値Ｔｈ１未満または所定値Ｔｈ２以上のカラー可視画像における注目画素の色情報を演算する。これにより、当該輝度が所定値Ｔｈ１未満または所定値Ｔｈ２以上のカラー可視画像における注目画素の色情報が、カラー表示に適した情報となる。そして、ステップ１６４へ進む。
【０２３８】
ステップ１６４では、今回上記ステップ１０２で注目画素として設定されたカラー可視画像の画素が、上記ステップ１６２で色情報が演算された画素である場合には、上記ステップ１６２で演算された色情報及び上記ステップ１０４で抽出された輝度情報（撮影により得られた輝度情報）を用いて、今回上記ステップ１０２で設定された注目画素の画像データをＨＳＶ空間からＲＧＢ空間に変換する。また、ステップ１６４では、今回上記ステップ１０２で注目画素として設定されたカラー可視画像の画素が、上記ステップ１６２で色情報が演算されていない画素である場合には、上記ステップ１０４で抽出された色情報及び上記ステップ１０４で抽出された輝度情報を用いて、今回上記ステップ１０２で設定された注目画素の画像データをＨＳＶ空間からＲＧＢ空間に変換する。これにより、今回上記ステップ１０２で注目画素として設定されたカラー可視画像の画素のＲＧＢの画像データを得ることができる。
【０２３９】
次のステップ１１４では、全ての画素について上記の各ステップ（ステップ１０２、１０４、１６０、１６０で否定判定された場合には１６２、１６４）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０２４０】
以上、説明したように、上記ステップ１０２、１０４、１６０、１６２の処理では、カラー可視画像を構成し、かつ輝度が第１の所定値Ｔｈ１未満及び第１の所定値より大きい第２の所定値Ｔｈ２以上の画素の色情報を、当該画素周辺の画素であって輝度が第１の所定値Ｔｈ１以上第２の所定値Ｔｈ２未満の画素の色情報を用いて補間することにより、カラー可視画像を構成し、かつ輝度が第１の所定値Ｔｈ１未満及び第２の所定値Ｔｈ２以上の画素の色情報を演算する。
【０２４１】
また、ステップ１６４、１１４の処理では、カラー可視画像を構成し、かつ上記ステップ１６２で色情報が演算された画素については、演算された色情報及び撮影により得られた輝度情報を用いると共に、カラー可視画像を構成し、かつ上記ステップ１６２で色情報が演算されていない画素については、撮影により得られた色情報及び撮影により得られた輝度情報を用いて、擬似カラー画像を生成する。
【０２４２】
以降の各ステップ（ステップ１１６、１１８、１２０、１２２、１２４、１２６、１２８は、第１の実施の形態と同様であるので、説明を省略する。
【０２４３】
以上、本実施の形態（第８の実施の形態）の擬似カラー画像生成処理について説明した。なお、ステップ１０２、１０４、１６０、１６２は色情報演算手段１８ｒによって実行され、ステップ１６２、１６４、１２６、１２８は生成手段１８ｓによって実行される。
【０２４４】
以上説明したように、本実施の形態に係る擬似カラー画像生成装置１０によれば、より視認性が良好となるように、色情報がカラー表示に適していない情報であるカラー可視画像の画素（すなわち、輝度が第１の所定値Ｔｈ１未満及び第２の所定値Ｔｈ２以上のカラー可視画像の画素）の色情報が、色情報がカラー表示に適した情報であるカラー可視画像の画素（すなわち、輝度が第１の所定値Ｔｈ１以上第２の所定値Ｔｈ２未満のカラー可視画像の画素）の色情報を用いた補間によって演算され、そして、カラー可視画像を構成し、かつ上記ステップ１６２で色情報が演算された画素については、演算された色情報及び撮影により得られた輝度情報が用いられると共に、カラー可視画像を構成し、かつ上記ステップ１６２で色情報が演算されていない画素については、撮影により得られた色情報及び撮影により得られた輝度情報が用いられて、擬似カラー画像が生成される。
【０２４５】
従って、本実施の形態に係る擬似カラー画像生成装置１０によれば、より視認性のよい画像を得ることができる。
【０２４６】
なお、本実施の形態では、ステップ１０２、１０４、１６０、１６２、１６４、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１６０、１６２、１６４、１１４の処理によって生成された擬似カラー画像を表示装置２０に表示するように制御してもよい。
【０２４７】
［第９の実施の形態］
次に第９の実施の形態について説明する。第１〜８の各実施の形態と同様の構成及び同様の処理については説明を省略する場合がある。なお、この場合には、同一の符号を付して説明を省略することもある。第１の実施の形態と第９の実施の形態とで異なる点について説明する。第１の実施の形態ではＣＰＵ１８ｃが図３に示す擬似カラー画像生成処理を実行する。一方、第９の実施の形態では、図１９に示す擬似カラー画像生成処理の処理ルーチンを実行するためのプログラムがＲＯＭ１８ａに記憶されており、ＣＰＵ１８ｃがＲＯＭ１８ａから図１９に示す擬似カラー画像生成処理の処理ルーチンを実行するためのプログラムを読み出して、図１９に示す擬似カラー画像生成処理を実行する。このように、第９の実施の形態では、図１９に示す擬似カラー画像生成処理を実行する点が、第１の実施の形態とは異なる。
【０２４８】
コンピュータ１８を以下で詳細を説明する図１９に示す擬似カラー画像生成処理に従って機能ブロックで表すと、図２０に示すように、取得手段１８ｆ、生成手段１８ｔ、及び置換手段１８ｈで表すことができる。
【０２４９】
生成手段１８ｔは、カラー可視画像を構成し、かつ色情報が示す色が青、黄、緑、赤、及び橙の少なくとも１つの色の画素については、カラー表示されるように、撮影により得られた輝度情報及び撮影により得られた色情報を用いると共に、カラー可視画像を構成し、かつ色情報が示す色が当該少なくとも１つの色以外の色の画素については、濃淡表示されるように、撮影により得られた輝度情報を用いて、擬似カラー画像を生成する。
【０２５０】
次に、コンピュータ１８のＣＰＵ１８ｃが実行する図１９に示す擬似カラー画像生成処理の処理ルーチンについて説明する。
【０２５１】
まず、第１の実施の形態と同様に、ステップ１００、１０２、１０４を実行する。そして、次のステップ１７０へ進む。ステップ１７０では、上記ステップ１０４で抽出されたカラー可視画像における注目画素の色情報が示す色が、青、黄、緑、赤、及び橙の少なくとも１つの色（例えば、赤の色）であるか否かを判定する。ここで、青、黄、緑、赤、及び橙の色は、例えば車両のドライバが、特に夜間などに注意すべき信号灯の色、標識の色、尾灯の色、及び街路灯の色などである。また、これらの色のうち、赤の色が最も注意すべき色であると考えることができ、赤の色は、例えば、信号灯の色、標識の色、及び尾灯の色である。なお、ステップ１７０で判定に用いられる色は、「青、黄、緑、赤、及び橙の少なくとも１つの色」であればどのような色でもよく、例えば「赤の色」や、「赤の色、及び緑の色」、「緑の色、及び橙の色」など様々な組み合わせが考えられる。
【０２５２】
ステップ１７０で、肯定判定された場合（上記ステップ１０４で抽出されたカラー可視画像における注目画素の色情報が示す色が、青、黄、緑、赤、及び橙の少なくとも１つの色であると判定された場合）には、次のステップ１１０へ進む。一方、ステップ１７０で、否定判定された場合（上記ステップ１０４で抽出されたカラー可視画像における注目画素の色情報が示す色が、当該少なくとも１つの色ではないと判定された場合）には、次のステップ１０８へ進む。ここで、「少なくとも１つの色ではないと判定された場合」とは、例えば、上記ステップ１７０での判定に用いられた色が「赤の色」である場合には、赤の色以外の色であると判定された場合を指す。
【０２５３】
ステップ１０８では、今回上記ステップ１０２で設定されたカラー可視画像における注目画素を、濃淡表示画素として決定する。そして、次のステップ１１２へ進む。
【０２５４】
ステップ１１０では、今回上記ステップ１０２で設定されたカラー可視画像における注目画素を、カラー表示画素として決定する。そして、次のステップ１１２へ進む。
【０２５５】
ステップ１１２では、第１の実施の形態と同様に、今回上記ステップ１０２で注目画素として設定されたカラー可視画像の画素の画像データをＨＳＶ空間からＲＧＢ空間に変換する。
【０２５６】
次のステップ１１４では、全ての画素について上記の各ステップ（ステップ１０２、１０４、１７０、１７０で肯定判定された場合には１１０、１７０で否定判定された場合には１０８、１１２）の処理が終了したか否かを判定し、全ての画素について終了していない場合には、上記ステップ１０２へ戻り、まだ処理対象となっていない他の画素を注目画素として設定する。一方、ステップ１１４において、全ての画素について上記の各ステップの処理が終了したと判定された場合には、次のステップ１１６へ進む。
【０２５７】
以上、説明したように、上記ステップ１０２、１０４、１７０、１０８、１１０、１１２、１１４の処理では、カラー可視画像を構成し、かつ色情報が示す色が青、黄、緑、赤、及び橙の少なくとも１つの色の画素については、カラー表示されるように、撮影により得られた輝度情報及び撮影により得られた色情報を用いると共に、カラー可視画像を構成し、かつ色情報が示す色が当該少なくとも１つの色以外の色の画素については、濃淡表示されるように、撮影により得られた輝度情報を用いて、擬似カラー画像を生成する。
【０２５８】
以降の各ステップ（ステップ１１６、１１８、１２０、１２２、１２４、１２６、１２８は、第１の実施の形態と同様であるので、説明を省略する。
【０２５９】
以上、本実施の形態（第９の実施の形態）の擬似カラー画像生成処理について説明した。なお、ステップ１０２、１０４、１７０、１０８、１１０、１１２、１１４、１２６、１２８は生成手段１８ｔによって実行される。
【０２６０】
以上説明したように、本実施の形態に係る擬似カラー画像生成装置１０によれば、より視認性が良好となるように、色情報が示す色が、例えば車両のドライバが特に夜間などに注意すべき信号灯の色、標識の色、尾灯の色、及び街路灯の色（これらの色は、例えば、青、黄、緑、赤、橙などがある）であるカラー可視画像の画素（すなわち、色情報が示す色が青、黄、緑、赤、及び橙の色の少なくとも１つの色の画素）については、カラー表示されるように、撮影により得られた輝度情報及び撮影により得られた色情報を用い、色情報が示す色が、例えば車両のドライバにとって格段の注意が必要とされない色の画素（すなわち、色情報が示す色が上記少なくとも１つの色以外の色の画素）については、濃淡表示されるように、撮影により得られた輝度情報を用いて、擬似カラー画像を生成する。
【０２６１】
従って、本実施の形態に係る擬似カラー画像生成装置１０によれば、より視認性のよい画像を得ることができる。
【０２６２】
なお、本実施の形態では、ステップ１０２、１０４、１７０、１０８、１１０、１１２、１１４の処理によって生成された擬似カラー画像に対して、ステップ１１６、１１８、１２０、１２２、１２４の処理を施して、ステップ１２６、１２８で更に擬似カラー画像を生成して表示する例について説明したが、本発明はこれに限られない。例えば、ステップ１０２、１０４、１７０、１０８、１１０、１１２、１１４の処理によって生成された擬似カラー画像を表示装置２０に表示するように制御してもよい。
【０２６３】
［第１０の実施の形態］
次に第１０の実施の形態について説明する。第１〜９の各実施の形態と同様の構成及び同様の処理については説明を省略する場合がある。なお、この場合には、同一の符号を付して説明を省略することもある。第１の実施の形態と第１０の実施の形態とで異なる点について説明する。第１の実施の形態ではＣＰＵ１８ｃが図３に示す擬似カラー画像生成処理を実行する。一方、第１０の実施の形態では、図２１に示す擬似カラー画像生成処理の処理ルーチンを実行するためのプログラムがＲＯＭ１８ａに記憶されており、ＣＰＵ１８ｃがＲＯＭ１８ａから図２１に示す擬似カラー画像生成処理の処理ルーチンを実行するためのプログラムを読み出して、図２１に示す擬似カラー画像生成処理を実行する。このように、第１０の実施の形態では、図２１に示す擬似カラー画像生成処理を実行する点が、第１の実施の形態とは異なる。
【０２６４】
コンピュータ１８を以下で詳細を説明する図２１に示す擬似カラー画像生成処理に従って機能ブロックで表すと、図２２に示すように、取得手段１８ｆ、生成手段１８ｕ、及び置換手段１８ｖで表すことができる。
【０２６５】
置換手段１８ｖは、取得手段１８ｆによって取得されたカラー可視画像を構成する画素であって、赤外画像の対応する画素である対応画素の輝度より輝度が小さい画素の輝度を、対応画素の輝度で置換する。
【０２６６】
生成手段１８ｕは、置換手段１８ｖで輝度が置換されているカラー可視画像の画素については置換された輝度を表す輝度情報及び撮影により得られた色情報を用い、置換手段１８ｖで輝度が置換されていないカラー可視画像の画素については撮影により得られた輝度情報及び撮影により得られた色情報を用いて、擬似カラー画像を生成する。
【０２６７】
次に、コンピュータ１８のＣＰＵ１８ｃが実行する図２１に示す擬似カラー画像生成処理の処理ルーチンについて説明する。
【０２６８】
まず、第１の実施の形態と同様に、ステップ１００を実行する。そして、次のステップ１８０へ進む。ステップ１８０では、上記ステップ１００で取得したカラー可視画像及び赤外画像の各々に対して、同じ位置の画素を注目画素として設定する。なお、ステップ１８０で注目画素として設定される画素は、詳細を以下で説明するステップ１８２以降の処理が行われていない画素とする。また、カラー可視画像における注目画素に対応する赤外画像における注目画素を、対応画素と称する。
【０２６９】
ステップ１８２では、今回上記ステップ１８０で注目画素として設定されたカラー可視画像の画素の画像データをＲＧＢ空間からＨＳＶ空間に変換することにより、上記ステップ１８０で注目画素として設定されたカラー可視画像の画素の色情報（彩度、色相）及び輝度情報（明度（輝度）を含む。すなわち、輝度を表す情報）を抽出する。
【０２７０】
次のステップ１８４では、今回上記ステップ１８０で設定されたカラー可視画像における注目画素の輝度Ｉｃと、今回上記ステップ１８０で設定された赤外画像における注目画素の輝度Ｉｒとを比較して、輝度Ｉｃが輝度Ｉｒより小さいか否かを判定する。
【０２７１】
ステップ１８４で輝度Ｉｃが輝度Ｉｒより小さいと判定された場合には、次のステップ１８６へ進む。一方、ステップ１８４で輝度Ｉｃが輝度Ｉｒ以上であると判定された場合には、次のステップ１８８へ進む。
【０２７２】
ステップ１８６では、カラー可視画像における注目画素の輝度Ｉｃを、赤外画像の輝度Ｉｒとすることにより、輝度Ｉｃを輝度Ｉｒで置換する。そして、次のステップ１８８へ進む。
【０２７３】
ステップ１８８では、全ての画素について上記各ステップ（ステップ１８０、１８２、１８４、１８４で肯定判定された場合には１８６）の処理が終了したか否かを判定し、全ての画素について終了していない場合には、上記ステップ１８０へ戻り、まだ処理対象となっていない他の画素を注目画素として設定する。一方、ステップ１８８において、全ての画素について上記各ステップの処理が終了したと判定された場合には、次のステップ１９０へ進む。
【０２７４】
以上、説明したように、上記ステップ１８０、１８２、１８４、１８６、１８８の処理では、上記ステップ１００によって取得されたカラー可視画像を構成する画素であって、赤外画像の対応する画素である対応画素の輝度Ｉｒより輝度が小さい画素の輝度Ｉｃを、対応画素の輝度Ｉｒで置換する。
【０２７５】
ステップ１９０では、カラー可視画像を構成する複数の画素の画像データを、ＨＳＶ空間からＲＧＢ空間に変換する。これにより、カラー可視画像の画素のＲＧＢの画像データを得ることができる。なお、ＨＳＶ空間からＲＧＢ空間に変換する際には、カラー可視画像を構成する複数の画素のうち、上記ステップ１８６で輝度が置換された画素については、上記ステップ１８６で置換された輝度及び上記ステップ１８２で抽出された色情報（撮影により得られた色情報）を用いて変換を行う。また、ＨＳＶ空間からＲＧＢ空間に変換する際には、カラー可視画像を構成する複数の画素のうち、上記ステップ１８６で輝度が置換されていない画素については、上記ステップ１８２で抽出された輝度（輝度を表す輝度情報）及び上記ステップ１８２で抽出された色情報を用いて変換を行う。
【０２７６】
次のステップ１９２では、上記ステップ１９０で得られたＲＧＢの画像データを用いて生成された擬似カラー画像を表示するように表示装置２０の表示を制御する。そして、上記ステップ１００へ戻る。
【０２７７】
以上、説明したように、上記ステップ１９０、１９２の処理では、上記ステップ１８６で輝度が置換されているカラー可視画像の画素については置換された輝度を表す輝度情報及び撮影により得られた色情報を用い、上記ステップ１８６で輝度が置換されていないカラー可視画像の画素については撮影により得られた輝度情報及び撮影により得られた色情報を用いて、擬似カラー画像を生成する。
【０２７８】
以上、本実施の形態（第１０の実施の形態）の擬似カラー画像生成処理について説明した。なお、ステップ１８０、１８２、１８４、１８６、１８８は置換手段１８ｖによって実行され、ステップ１９０、１９２は生成手段１８ｕによって実行される。
【０２７９】
以上説明したように、本実施の形態に係る擬似カラー画像生成装置１０によれば、カラー可視画像の各画素の輝度Ｉｃと、この各画素に対応する赤外画像の各対応画素の輝度Ｉｒとの比較によって、カラー可視画像を構成する画素であって、赤外画像の対応画素の輝度Ｉｒより輝度が小さい画素の輝度Ｉｃが、より視認性が良好となるような輝度に置換されて、擬似カラー画像が生成される。例えば、図２３に示すような擬似カラー画像が表示装置２０に表示される。
【０２８０】
従って、本実施の形態に係る擬似カラー画像生成装置１０によれば、より視認性のよい画像を得ることができる。
【０２８１】
また、本実施の形態では、上記ステップ１８０、１８２、１８４、１８６、１８８の処理で、カラー可視画像を構成する画素であって、赤外画像の対応する画素である対応画素の輝度Ｉｒより輝度が小さい画素の輝度Ｉｃを、対応画素の輝度Ｉｒで置換する例について説明した。しかしながら、本発明はこれに限られない。例えば、カラー可視画像を構成する画素であって、赤外画像の対応する画素である対応画素の輝度Ｉｒより輝度が小さい画素の輝度Ｉｃを、カラー可視画像を構成する画素の輝度Ｉｃと赤外画像の対応画素の輝度Ｉｒとの加重平均の値で置換するようにしてもよい。なお、この場合には、双方の画素に対して所定の重み付けがされていることとする。これにより、輝度Ｉｒが飽和している場合には、その輝度の飽和を抑制することができる。
【０２８２】
なお、上記の第１〜第１０の各実施の形態では、輝度や彩度の比較単位または判定単位となるブロックを、画素単位とした場合を例に説明したが、これに限定されるものではなく、複数の画素からなる領域を、ブロックとしてもよい。この場合には、例えば、各ブロックの平均輝度または平均彩度を、比較または判定に用いればよい。
【０２８３】
また、カラー可視画像と赤外画像とを用いて、擬似カラー画像を表示する場合を例に説明したが、これに限定されるものではなく、カラー可視画像と遠赤外画像とを用いて、擬似カラー画像を表示してもよい。この場合には、遠赤外カメラを用いて遠赤外画像を生成するか、又は、遠赤外光の波長帯を透過する遠赤外フィルタを用いて、自車両の前方を撮影するようにすればよい。また、赤外光源を用いずに、自車両の前方を撮影すればよい。
【０２８４】
また、取得手段、生成手段、色情報演算手段、及び置換手段をコンピュータで実現した場合を例に説明したが、これに限定されるものではなく、取得手段、生成手段、色情報演算手段、及び置換手段を、各手段の機能を実現する複数のコンピュータ、もしくは１つまたは複数の電子回路で構成するようにしてもよい。
【０２８５】
また、本発明のプログラムを、記憶媒体に格納して提供することも可能である。
【符号の説明】
【０２８６】
１０      擬似カラー画像生成装置
１２      第１撮影装置
１４      第２撮影装置
１６      赤外光源
１８      コンピュータ
１８ａ    ＲＯＭ
１８ｃ    ＣＰＵ
１８ｆ    取得手段
１８ｇ    生成手段
１８ｈ    置換手段
２０      表示装置
【図１】
2010193037.tif 000003
【図２】
2010193037.tif 000004
【図３】
2010193037.tif 000005
【図５】
2010193037.tif 000006
【図６】
2010193037.tif 000007
【図７】
2010193037.tif 000008
【図８】
2010193037.tif 000009
【図９】
2010193037.tif 000010
【図１０】
2010193037.tif 000011
【図１１】
2010193037.tif 000012
【図１２】
2010193037.tif 000013
【図１３】
2010193037.tif 000014
【図１４】
2010193037.tif 000015
【図１５】
2010193037.tif 000016
【図１６】
2010193037.tif 000017
【図１７】
2010193037.tif 000018
【図１８】
2010193037.tif 000019
【図１９】
2010193037.tif 000020
【図２０】
2010193037.tif 000021
【図２１】
2010193037.tif 000022
【図２２】
2010193037.tif 000023
【図４】
2010193037.tif 000024
【図２３】
2010193037.tif 000025